(57)【特許請求の範囲】
【請求項１】
入力画像信号のフレーム間あるいはフィールド間に、動き補正処理を施した画像信号を内挿することにより、前記入力画像信号のフレーム数あるいはフィールド数を変換して、表示パネルへ出力するレート変換手段を備えた画像表示装置であって、
第一の画像信号と、該第一の画像信号とは異なる第二の画像信号とを合成して表示する場合、前記第一の画像信号と前記第二の画像信号とを含む全ての画素領域に対して、前記レート変換手段における動き補正処理を無効化することを特徴とする画像表示装置。
【請求項２】
前記請求項１に記載の画像表示装置において、
前記レート変換手段は、前記入力画像信号に含まれる連続したフレーム間あるいはフィールド間で動きベクトル情報を検出する動きベクトル検出部と、
該検出した動きベクトル情報に基づいて、前記フレーム間あるいは前記フィールド間に内挿ベクトルを割り付ける内挿ベクトル割付部と、
該割り付けた内挿ベクトルから内挿画像信号を生成する内挿画像生成部と、
該生成した内挿画像信号を前記フレーム間あるいは前記フィールド間に内挿する画像内挿部とを有することを特徴とする画像表示装置。
【請求項３】
前記請求項２に記載の画像表示装置において、
前記第一の画像信号と前記第二の画像信号とを合成して表示する場合、前記動きベクトル検出部で検出された動きベクトルを０ベクトルにすることにより、前記動き補正処理を無効化することを特徴とする画像表示装置。
【請求項４】
前記請求項２に記載の画像表示装置において、
前記第一の画像信号と前記第二の画像信号とを合成して表示する場合、前記内挿ベクトル割付部で割り付けた内挿ベクトルを０ベクトルにすることにより、前記動き補正処理を無効化することを特徴とする画像表示装置。
【請求項５】
入力画像信号のフレーム間あるいはフィールド間に、動き補正処理を施した画像信号を内挿することにより、前記入力画像信号のフレーム数あるいはフィールド数を変換して、表示パネルへ出力するレート変換手段を備えた画像表示装置であって、
第一の画像信号と、該第一の画像信号とは異なる第二の画像信号とを合成して表示する場合、前記第一の画像信号と前記第二の画像信号とを含む全ての画素領域に対して、前記入力画像信号のフレーム数あるいはフィールド数を変換せずに、該入力画像信号を前記表示パネルへ出力することを特徴とする画像表示装置。
【請求項６】
前記請求項５に記載の画像表示装置において、
画像信号を表示する表示パネルの駆動周波数を変更可能とし、
前記第一の画像信号と前記第二の画像信号とを合成して表示する場合、前記入力画像信号のフレーム周波数あるいはフィールド周波数に合わせて前記表示パネルの駆動周波数を変更することを特徴とする画像表示装置。
【請求項７】
入力画像信号のフレーム間あるいはフィールド間に、動き補正処理を施した画像信号を内挿することにより、前記入力画像信号のフレーム数あるいはフィールド数を変換して、表示パネルへ出力するレート変換手段を備えた画像表示装置であって、
前記入力画像信号のフレーム間あるいはフィールド間に、動き補正処理を施していない画像信号を挿入することにより、前記入力画像信号のフレーム数あるいはフィールド数を変換する他のレート変換手段を更に備え、
第一の画像信号と、該第一の画像信号とは異なる第二の画像信号とを合成して表示する場合、前記第一の画像信号と前記第二の画像信号とを含む全ての画素領域に対して、前記他のレート変換手段によりフレーム数あるいはフィールド数が変換された画像信号を、前記表示パネルへ出力することを特徴とする画像表示装置。
【請求項８】
前記請求項７に記載の画像表示装置において、
前記他のレート変換手段は、前記入力画像信号のフレーム間あるいはフィールド間に、該フレームあるいはフィールドの画像信号を挿入することにより、前記入力画像信号のフレーム数あるいはフィールド数を変換するものであることを特徴とする画像表示装置。
【請求項９】
前記請求項７に記載の画像表示装置において、
前記他のレート変換手段は、前記入力画像信号のフレーム間あるいはフィールド間に、線形補間処理を施した画像信号を内挿することにより、前記入力画像信号のフレーム数あるいはフィールド数を変換するものであることを特徴とする画像表示装置。
【請求項１０】
前記請求項７に記載の画像表示装置において、
前記他のレート変換手段は、前記入力画像信号のフレーム間あるいはフィールド間に、予め決められた単色画像信号を挿入することにより、前記入力画像信号のフレーム数あるいはフィールド数を変換するものであることを特徴とする画像表示装置。
【請求項１１】
入力画像信号のフレーム間あるいはフィールド間に、動き補正処理を施した画像信号を内挿することにより、前記入力画像信号のフレーム数あるいはフィールド数を変換して、表示パネルへ出力するレート変換手段を備えた画像表示装置であって、
第一の画像信号と、該第一の画像信号とは異なる第二の画像信号とを合成して表示する場合、前記レート変換手段における動き補正処理の補正強度を可変することを特徴とする画像表示装置。
【請求項１２】
前記請求項１１に記載の画像表示装置において、
前記レート変換手段は、動き補正処理を施した画像信号と、線形補間処理を施した画像信号とを所定の比率で加重加算することにより、内挿画像信号を生成する内挿画像生成部を有し、
前記第一の画像信号と前記第二の画像信号とを合成して表示する場合、前記加重加算比率を可変することを特徴とする画像表示装置。
【請求項１３】
前記請求項１２に記載の画像表示装置において、
前記内挿画像生成部は、前記第一の画像信号と前記第二の画像信号とを合成して表示する場合、前記線形補間処理を施した画像信号を内挿画像信号とし、
前記第一の画像信号と前記第二の画像信号とを合成して表示しない場合、前記動き補正処理を施した画像信号を内挿画像信号とすることを特徴とする画像表示装置。
【請求項１４】
前記請求項１乃至１３のいずれか１に記載の画像表示装置において、
前記第二の画像信号は、前記第一の画像信号の内に合成されるキャラクタ信号であることを特徴とする画像表示装置。
【請求項１５】
前記請求項１４に記載の画像表示装置において、
前記キャラクタ信号は、当該画像表示装置内部で発生するオンスクリーン表示信号であることを特徴とする画像表示装置。
【請求項１６】
前記請求項１乃至１３のいずれか１に記載の画像表示装置において、
前記第二の画像信号は、前記第一の画像信号の内に合成される子画面画像信号であることを特徴とする画像表示装置。
【請求項１７】
前記請求項１６に記載の画像表示装置において、
前記子画面画像信号は、当該画像表示装置で発生するピクチャインピクチャ表示信号であることを特徴とする画像表示装置。
【請求項１８】
前記請求項１乃至１３のいずれか１に記載の画像表示装置において、
前記第二の画像信号は、前記第一の画像信号の外に合成される背景画像信号であることを特徴とする画像表示装置。
【請求項１９】
前記請求項１８に記載の画像表示装置において、
前記背景画像信号は、データ情報表示信号であることを特徴とする画像表示装置。
【請求項２０】
前記請求項１８に記載の画像表示装置において、
前記背景画像信号は、番組情報表示信号であることを特徴とする画像表示装置。
【請求項２１】
前記請求項１乃至１３のいずれか１に記載の画像表示装置において、
前記第二の画像信号は、前記第一の画像信号の外に合成される他画面画像信号であることを特徴とする画像表示装置。
【請求項２２】
前記請求項２１に記載の画像表示装置において、
前記他画面画像信号は、当該画像表示装置で発生するピクチャアウトピクチャ表示信号であることを特徴とする画像表示装置。
【請求項２３】
入力画像信号のフレーム間あるいはフィールド間に、動き補正処理を施した画像信号を内挿することにより、前記入力画像信号のフレーム数あるいはフィールド数を変換して、表示パネルへ出力するレート変換手段を備えた画像表示装置であって、
前記レート変換手段は、前記入力画像信号に含まれる連続したフレーム間あるいはフィールド間で動きベクトル情報を検出する動きベクトル検出部と、
該検出した動きベクトル情報に基づいて、前記フレーム間あるいは前記フィールド間に内挿ベクトルを割り付ける内挿ベクトル割付部と、
該割り付けた内挿ベクトルから内挿画像信号を生成する内挿画像生成部と、
該生成した内挿画像信号を前記フレーム間あるいは前記フィールド間に内挿する画像内挿部とを有し、
第一の画像信号と、該第一の画像信号とは異なる第二の画像信号とを合成して表示する場合、前記第二の画像信号が合成された画素あるいは該画素を含む領域に対して、前記第二の画像信号が合成された内挿ブロックの内挿ベクトルを０ベクトルにすることにより、前記内挿ブロックの各画素に対して、前記動き補正処理を無効化することを特徴とする画像表示装置。
【請求項２４】
前記請求項２３に記載の画像表示装置において、
前記第二の画像信号が合成された内挿ブロックにフラグ情報を付与し、該フラグ情報が付与された内挿ブロックの内挿ベクトルの出力を０にすることを特徴とする画像表示装置。
【請求項２５】
入力画像信号のフレーム間あるいはフィールド間に、動き補正処理を施した画像信号を内挿することにより、前記入力画像信号のフレーム数あるいはフィールド数を変換して、表示パネルへ出力するレート変換手段を備えた画像表示装置であって、
第一の画像信号と、該第一の画像信号とは異なる第二の画像信号とを合成して表示する場合、前記第二の画像信号が合成された画素あるいは該画素を含む領域に対して、前記レート変換手段における動き補正処理の補正強度を可変することを特徴とする画像表示装置。
【請求項２６】
前記請求項２５に記載の画像表示装置において、
前記レート変換手段は、動き補正処理を施した画像信号と、線形補間処理を施した画像信号とを所定の比率で加重加算することにより、内挿画像信号を生成する内挿画像生成部を有し、
前記第一の画像信号と前記第二の画像信号とを合成して表示する場合、前記第二の画像信号が合成された画素あるいは該画素を含む領域に対して、前記加重加算比率を可変することを特徴とする画像表示装置。
【請求項２７】
前記請求項２６に記載の画像表示装置において、
前記内挿画像生成部は、前記第一の画像信号と前記第二の画像信号とを合成して表示する場合、前記第二の画像信号が合成された画素あるいは該画素を含む領域に対して、前記線形補間処理を施した画像信号を内挿画像信号とし、
前記第二の画像信号が合成されていない画素あるいは該画素を含む領域に対して、前記動き補正処理を施した画像信号を内挿画像信号とすることを特徴とする画像表示装置。
【請求項２８】
前記請求項２３乃至２７のいずれか１に記載の画像表示装置において、
前記第二の画像信号は、前記第一の画像信号の内に合成されるキャラクタ信号であることを特徴とする画像表示装置。
【請求項２９】
前記請求項２８に記載の画像表示装置において、
前記キャラクタ信号は、当該画像表示装置内部で発生するオンスクリーン表示信号であることを特徴とする画像表示装置。
【請求項３０】
前記請求項２３乃至２７のいずれか１に記載の画像表示装置において、
前記第二の画像信号は、前記第一の画像信号の内に合成される子画面画像信号であることを特徴とする画像表示装置。
【請求項３１】
前記請求項３０に記載の画像表示装置において、
前記子画面画像信号は、当該画像表示装置で発生するピクチャインピクチャ表示信号であることを特徴とする画像表示装置。
【請求項３２】
前記請求項２３乃至２７のいずれか１に記載の画像表示装置において、
前記第二の画像信号は、前記第一の画像信号の外に合成される背景画像信号であることを特徴とする画像表示装置。
【請求項３３】
前記請求項３２に記載の画像表示装置において、
前記背景画像信号は、データ情報表示信号であることを特徴とする画像表示装置。
【請求項３４】
前記請求項３２に記載の画像表示装置において、
前記背景画像信号は、番組情報表示信号であることを特徴とする画像表示装置。
【請求項３５】
前記請求項２３乃至２７のいずれか１に記載の画像表示装置において、
前記第二の画像信号は、前記第一の画像信号の外に合成される他画面画像信号であることを特徴とする画像表示装置。
【請求項３６】
前記請求項３５に記載の画像表示装置において、
前記他画面画像信号は、当該画像表示装置で発生するピクチャアウトピクチャ表示信号であることを特徴とする画像表示装置。
【請求項３７】
入力画像信号のフレーム間あるいはフィールド間に、動き補正処理を施した画像信号を内挿することにより、前記入力画像信号のフレーム数あるいはフィールド数を変換するステップを有する画像表示方法において、
第一の画像信号と、該第一の画像信号とは異なる第二の画像信号とが合成されたかどうかを判定するステップと、
前記第一の画像信号と前記第二の画像信号とが合成されたと判定された場合、前記第一の画像信号と前記第二の画像信号とを含む全ての画素領域に対して、前記動き補正処理を無効化するステップとを備えたことを特徴とする画像表示方法。
【請求項３８】
入力画像信号のフレーム間あるいはフィールド間に、動き補正処理を施した画像信号を内挿することにより、前記入力画像信号のフレーム数あるいはフィールド数を変換するステップを有する画像表示方法において、
第一の画像信号と、該第一の画像信号とは異なる第二の画像信号とが合成されたかどうかを判定するステップと、
前記第一の画像信号と前記第二の画像信号とが合成されたと判定された場合、前記第一の画像信号と前記第二の画像信号とを含む全ての画素領域に対して、前記入力画像信号のフレーム周波数あるいはフィールド周波数を変換せずに、該フレーム周波数あるいはフィールド周波数に合わせて表示パネルの駆動周波数を変更するステップとを備えたことを特徴とする画像表示方法。
【請求項３９】
入力画像信号のフレーム間あるいはフィールド間に、動き補正処理を施した画像信号を内挿することにより、前記入力画像信号のフレーム数あるいはフィールド数を変換するステップを有する画像表示方法において、
第一の画像信号と、該第一の画像信号とは異なる第二の画像信号とが合成されたかどうかを判定するステップと、
前記第一の画像信号と前記第二の画像信号とが合成されたと判定された場合、前記第一の画像信号と前記第二の画像信号とを含む全ての画素領域に対して、前記入力画像信号のフレーム間あるいはフィールド間に、該フレームあるいはフィールドの画像信号を挿入することにより、前記入力画像信号のフレーム数あるいはフィールド数を変換するステップとを備えたことを特徴とする画像表示方法。
【請求項４０】
入力画像信号のフレーム間あるいはフィールド間に、動き補正処理を施した画像信号を内挿することにより、前記入力画像信号のフレーム数あるいはフィールド数を変換するステップを有する画像表示方法において、
第一の画像信号と、該第一の画像信号とは異なる第二の画像信号とが合成されたかどうかを判定するステップと、
前記第一の画像信号と前記第二の画像信号とが合成されたと判定された場合、前記第一の画像信号と前記第二の画像信号とを含む全ての画素領域に対して、前記入力画像信号のフレーム間あるいはフィールド間に、線形補間処理を施した画像信号を内挿することにより、前記入力画像信号のフレーム数あるいはフィールド数を変換するステップとを備えたことを特徴とする画像表示方法。
【請求項４１】
入力画像信号のフレーム間あるいはフィールド間に、動き補正処理を施した画像信号を内挿することにより、前記入力画像信号のフレーム数あるいはフィールド数を変換するステップを有する画像表示方法において、
第一の画像信号と、該第一の画像信号とは異なる第二の画像信号とが合成されたかどうかを判定するステップと、
前記第一の画像信号と前記第二の画像信号とが合成されたと判定された場合、前記入力画像信号のフレーム間あるいはフィールド間に、予め決められた単色画像信号を挿入することにより、前記入力画像信号のフレーム数あるいはフィールド数を変換するステップとを備えたことを特徴とする画像表示方法。
【請求項４２】
入力画像信号のフレーム間あるいはフィールド間に、動き補正処理を施した画像信号を内挿することにより、前記入力画像信号のフレーム数あるいはフィールド数を変換するステップを有する画像表示方法において、
第一の画像信号と、該第一の画像信号とは異なる第二の画像信号とが合成されたかどうかを判定するステップと、
前記第一の画像信号と前記第二の画像信号とが合成されたと判定された場合、前記動き補正処理の補正強度を可変するステップとを備えたことを特徴とする画像表示方法。
【請求項４３】
入力画像信号のフレーム間あるいはフィールド間に、動き補正処理を施した画像信号を内挿することにより、前記入力画像信号のフレーム数あるいはフィールド数を変換するステップを有する画像表示方法において、
前記ステップは、前記入力画像信号に含まれる連続したフレーム間あるいはフィールド間で動きベクトル情報を検出する動きベクトル検出ステップと、
該検出した動きベクトル情報に基づいて、前記フレーム間あるいは前記フィールド間に内挿ベクトルを割り付ける内挿ベクトル割付ステップと、
該割り付けた内挿ベクトルから内挿画像信号を生成する内挿画像生成ステップと、
該生成した内挿画像信号を前記フレーム間あるいは前記フィールド間に内挿する画像内挿ステップとを有し、
さらに、第一の画像信号と、該第一の画像信号とは異なる第二の画像信号とが合成されたかどうかを判定するステップと、
前記第一の画像信号と前記第二の画像信号とが合成されたと判定された場合、前記第二の画像信号が合成された画素あるいは該画素を含む領域に対して、前記第二の画像信号が合成された内挿ブロックの内挿ベクトルを０ベクトルにすることにより、前記内挿ブロックの各画素に対して、前記動き補正処理を無効化するステップとを備えたことを特徴とする画像表示方法。
【請求項４４】
入力画像信号のフレーム間あるいはフィールド間に、動き補正処理を施した画像信号を内挿することにより、前記入力画像信号のフレーム数あるいはフィールド数を変換するステップを有する画像表示方法において、
第一の画像信号と、該第一の画像信号とは異なる第二の画像信号とが合成されたかどうかを判定するステップと、
前記第一の画像信号と前記第二の画像信号とが合成されたと判定された場合、前記第二の画像信号が合成された画素あるいは該画素を含む領域に対して、前記動き補正処理の補正強度を可変するステップとを備えたことを特徴とする画像表示方法。
【発明の詳細な説明】
【技術分野】
【０００１】
本発明は、フレームレートあるいはフィールドレートを変換する機能を備えた画像表示装置及び方法に関し、より詳細には、第一の画像信号と第二の画像信号とを合成して表示する場合、動き補償型のレート変換処理に起因する第一及び第二の画像信号の表示部分の画質劣化を防止する画像表示装置及び該装置による画像表示方法に関する。
【背景技術】
【０００２】
動画像を具現する用途に従来から主として用いられてきた陰極線管（ＣＲＴ：Ｃａｔｈｏｄｅ  Ｒａｙ  Ｔｕｂｅ）に対して、ＬＣＤ（Ｌｉｑｕｉｄ  Ｃｒｙｓｔａｌ  Ｄｉｓｐｌａｙ）は、動きのある画像を表示した場合に、観る者には動き部分の輪郭がぼけて知覚されてしまうという、所謂、動きぼけの欠点がある。この動きぼけは、ＬＣＤの表示方式そのものに起因することが指摘されている（例えば、特許文献１、非特許文献１参照）。
【０００３】
電子ビームを走査して蛍光体を発光させて表示を行うＣＲＴでは、各画素の発光は蛍光体の若干の残光はあるものの概ねインパルス状になる。これをインパルス型表示方式という。一方、ＬＣＤでは、液晶に電界を印加することにより蓄えられた電荷が、次に電界が印加されるまで比較的高い割合で保持される。特に、ＴＦＴ方式の場合、画素を構成するドット毎にＴＦＴスイッチが設けられており、さらに通常は各画素に補助容量が設けられており、蓄えられた電荷の保持能力が極めて高い。このため、画素が次のフレームあるいはフィールド（以下、フレームで代表する）の画像情報に基づく電界印加により書き換えられるまで発光し続ける。これをホールド型表示方式という。
【０００４】
上記のようなホールド型表示方式においては、画像表示光のインパルス応答が時間的な広がりを持つため、時間周波数特性が劣化して、それに伴い空間周波数特性も低下し、動きぼけが生じる。すなわち、人の視線は動くものに対して滑らかに追従するため、ホールド型のように発光時間が長いと、時間積分効果により画像の動きがぎくしゃくして不自然に見えてしまう。
【０００５】
上記のホールド型表示方式における動きぼけを改善するために、フレーム間に画像を内挿することにより、フレームレート（フレーム数）を変換する技術が知られている。この技術は、ＦＲＣ（Ｆｒａｍｅ  Ｒａｔｅ  Ｃｏｎｖｅｒｔｅｒ）と呼ばれ、液晶表示装置等において実用化されている。
【０００６】
従来、フレームレートを変換する方法には、単に同一フレームの複数回繰り返し読み出しや、フレーム間の直線内挿（線形補間）によるフレーム内挿などの各種の手法がある（例えば、非特許文献２参照）。しかしながら、線形補間によるフレーム内挿処理の場合、フレームレート変換に伴う動きの不自然さ（ジャーキネス、ジャダー）が発生するとともに、上述したホールド型表示方式に起因する動きぼけ妨害を十分に改善することはできず、画質的には不十分なものであった。
【０００７】
そこで、上記ジャーキネスの影響等をなくして動画質を改善するために、動きベクトルを用いた動き補償型のフレーム内挿（動き補正）処理が提案されている。この動き補正処理によれば、動画像そのものをとらえて補正するため、解像度の劣化がなく、また、ジャーキネスの発生もなく、極めて自然な動画を得ることができる。さらに、内挿画像信号は動き補償して形成されるので、上述したホールド型表示方式に起因する動きぼけ妨害を十分に改善することが可能となる。
【０００８】
前述の特許文献１には、動き適応的に内挿フレームを生成することにより、表示画像のフレーム周波数を上げて、動きぼけの原因となる空間周波数特性の低下を改善するための技術が開示されている。これは、表示画像のフレーム間に内挿する少なくとも１つの内挿画像信号を、前後のフレームから動き適応的に形成し、形成した内挿画像信号をフレーム間に内挿して順次表示するようにしている。
【０００９】
図４４は、従来の液晶表示装置におけるＦＲＣ駆動表示回路の概略構成を示すブロック図で、図中、ＦＲＣ駆動表示回路は、入力画像信号のフレーム間に動き補正処理を施した画像信号を内挿することにより入力画像信号のフレーム数を変換するＦＲＣ部１００と、液晶層と該液晶層に走査信号及びデータ信号を印加するための電極とを有するアクティブマトリクス型の液晶表示パネル１０３と、ＦＲＣ部１００によりフレームレート変換された画像信号に基づいて液晶表示パネル１０３の走査電極及びデータ電極を駆動するための電極駆動部１０４と、を備えて構成される。
【００１０】
ＦＲＣ部１００は、入力画像信号から動きベクトル情報を検出する動きベクトル検出部１０１と、動きベクトル検出部１０１により得られた動きベクトル情報に基づいて内挿フレームを生成する内挿フレーム生成部１０２とを備える。
【００１１】
上記構成において、動きベクトル検出部１０１は、例えば、後述するブロックマッチング法や勾配法などを用いて動きベクトル情報を求めてもよいし、入力画像信号に何らかの形で動きベクトル情報が含まれている場合、これを利用してもよい。例えば、ＭＰＥＧ方式を用いて圧縮符号化された画像データには、符号化時に算出された動画像の動きベクトル情報が含まれており、この動きベクトル情報を取得する構成としてもよい。
【００１２】
図４５は、図４４に示した従来のＦＲＣ駆動表示回路によるフレームレート変換処理を説明するための図である。ＦＲＣ部１００は、動きベクトル検出部１０１より出力された動きベクトル情報を用いた動き補償により、フレーム間の内挿フレーム（図中グレーに色付けされた画像）を生成し、この生成された内挿フレーム信号を入力フレーム信号とともに、順次出力することで、入力画像信号のフレームレートを例えば毎秒６０フレーム（６０Ｈｚ）から毎秒１２０フレーム（１２０Ｈｚ）に変換する処理を行う。
【００１３】
図４６は、動きベクトル検出部１０１及び内挿フレーム生成部１０２による内挿フレーム生成処理について説明するための図である。動きベクトル検出部１０１は、図４５に示した例えばフレーム＃１とフレーム＃２から勾配法等により動きベクトル１０５を検出する。すなわち、動きベクトル検出部１０１は、フレーム＃１とフレーム＃２の１／６０秒間に、どの方向にどれだけ動いたかを測定することにより動きベクトル１０５を求める。次に、内挿フレーム生成部１０２は、求めた動きベクトル１０５を用いて、フレーム＃１とフレーム＃２間に内挿ベクトル１０６を割り付ける。この内挿ベクトル１０６に基づいてフレーム＃１の位置から１／１２０秒後の位置まで対象（ここでは自動車）を動かすことにより、内挿フレーム１０７を生成する。
【００１４】
このように、動きベクトル情報を用いて動き補償フレーム内挿処理を行い、表示フレーム周波数を上げることで、ＬＣＤ（ホールド型表示方式）の表示状態を、ＣＲＴ（インパルス型表示方式）の表示状態に近づけることができ、動画表示の際に生じる動きぼけによる画質劣化を改善することが可能となる。
【００１５】
ここで、上記動き補償フレーム内挿処理においては、動き補正のために動きベクトルの検出が不可欠となる。この動きベクトル検出の代表的な手法として、例えば、ブロックマッチング法、勾配法などが提案されている。勾配法においては、連続した２つのフレーム間で各画素または小さなブロック毎に動きベクトルを検出し、それにより２つのフレーム間の内挿フレームの各画素または各小ブロックを内挿する。すなわち、２つのフレーム間の任意の位置の画像を正しく位置補正して内挿することにより、フレーム数の変換を行う。
【特許文献１】
特許第３２９５４３７号明細書
【非特許文献１】
石黒秀一、栗田泰市郎、「８倍速ＣＲＴによるホールド発光型ディスプレイの動画質に関する検討」、信学技報、社団法人電子情報通信学会、ＥＩＤ９６−４（１９９６−０６）、ｐ．１９−２６
【非特許文献２】
山内達郎、「テレビジョン方式変換」、テレビジョン学会誌、Ｖｏｌ．４５、Ｎｏ．１２、ｐｐ．１５３４−１５４３（１９９１）
【発明の開示】
【発明が解決しようとする課題】
【００１６】
上述したＦＲＣ回路を備えた液晶表示装置においては、第一の画像信号と、該第一の画像信号とは異なる第二の画像信号とを合成して表示する場合、画像合成回路をＦＲＣ回路の後段に設けると、画像合成回路においてＦＲＣで増加したフレームレートの割合だけ高速なクロック動作を行う必要が生じる。この場合、高速なクロック動作に対応させるためのチップセットが必要となり、コスト面等からも現実的ではない。
【００１７】
従って、画像合成回路をＦＲＣ回路の前段に設ける必要があるが、この場合、ＦＲＣ処理による動き補正の影響を受けて、第一の画像信号或いは第二の画像信号の表示（周辺）部分の画質が劣化してしまうことがある。この画質劣化の主な要因としては、異なる動き特性を持つ複数の画像（静止画像を含む）が混在することによる動きベクトルの検出エラー、動き補正のエラーなどが考えられる。
【００１８】
また、ＦＲＣ回路では、メモリ容量を減らすために、ＲＧＢで入力される入力画像信号を、ＹＰｂＰｒなどの異なるフォーマットに変換して処理を行う場合がある。このような場合、画像合成回路をＦＲＣ回路の前段に設けると、ＲＧＢで作られた合成画像信号をＦＲＣ回路でＹＰｂＰｒなどの異なるフォーマットに変換することになる。その結果、この変換処理に起因して合成画像信号の表示部分がにじんだ状態で表示されてしまうという問題もある。
【００１９】
本発明は、上述のごとき実情に鑑みてなされたものであり、動き補償型のフレームレート変換（ＦＲＣ）部を備えた画像表示装置において、ＦＲＣ処理に起因する合成画像信号の表示部分の画質劣化を防止すること、を目的とする。
【課題を解決するための手段】
【００２０】
上記課題を解決するために、本発明の第１の技術手段は、入力画像信号のフレーム間あるいはフィールド間に、動き補正処理を施した画像信号を内挿することにより、前記入力画像信号のフレーム数あるいはフィールド数を変換して、表示パネルへ出力するレート変換手段を備えた画像表示装置であって、第一の画像信号と、該第一の画像信号とは異なる第二の画像信号とを合成して表示する場合、前記第一の画像信号と前記第二の画像信号とを含む全ての画素領域に対して、前記レート変換手段における動き補正処理を無効化することを特徴としたものである。
【００２１】
第２の技術手段は、第１の技術手段において、前記レート変換手段は、前記入力画像信号に含まれる連続したフレーム間あるいはフィールド間で動きベクトル情報を検出する動きベクトル検出部と、該検出した動きベクトル情報に基づいて、前記フレーム間あるいは前記フィールド間に内挿ベクトルを割り付ける内挿ベクトル割付部と、該割り付けた内挿ベクトルから内挿画像信号を生成する内挿画像生成部と、該生成した内挿画像信号を前記フレーム間あるいは前記フィールド間に内挿する画像内挿部とを有することを特徴としたものである。
【００２２】
第３の技術手段は、第２の技術手段において、前記第一の画像信号と前記第二の画像信号とを合成して表示する場合、前記動きベクトル検出部で検出された動きベクトルを０ベクトルにすることにより、前記動き補正処理を無効化することを特徴としたものである。
【００２３】
第４の技術手段は、第２の技術手段において、前記第一の画像信号と前記第二の画像信号とを合成して表示する場合、前記内挿ベクトル割付部で割り付けた内挿ベクトルを０ベクトルにすることにより、前記動き補正処理を無効化することを特徴としたものである。
【００２４】
第５の技術手段は、入力画像信号のフレーム間あるいはフィールド間に、動き補正処理を施した画像信号を内挿することにより、前記入力画像信号のフレーム数あるいはフィールド数を変換して、表示パネルへ出力するレート変換手段を備えた画像表示装置であって、
第一の画像信号と、該第一の画像信号とは異なる第二の画像信号とを合成して表示する場合、前記第一の画像信号と前記第二の画像信号とを含む全ての画素領域に対して、前記入力画像信号のフレーム数あるいはフィールド数を変換せずに、該入力画像信号を前記表示パネルへ出力することを特徴としたものである。
［００２５］
第６の技術手段は、第５の技術手段において、画像信号を表示する表示パネルの駆動周波数を変更可能とし、前記第一の画像信号と前記第二の画像信号とを合成して表示する場合、前記入力画像信号のフレーム周波数あるいはフィールド周波数に合わせて前記表示パネルの駆動周波数を変更することを特徴としたものである。
［００２６］
第７の技術手段は、入力画像信号のフレーム間あるいはフィールド間に、動き補正処理を施した画像信号を内挿することにより、前記入力画像信号のフレーム数あるいはフィールド数を変換して、表示パネルへ出力するレート変換手段を備えた画像表示装置であって、前記入力画像信号のフレーム間あるいはフィールド間に、動き補正処理を施していない画像信号を挿入することにより、前記入力画像信号のフレーム数あるいはフィールド数を変換する他のレート変換手段を更に備え、第一の画像信号と、該第一の画像信号とは異なる第二の画像信号とを合成して表示する場合、前記第一の画像信号と前記第二の画像信号とを含む全ての画素領域に対して、前記他のレート変換手段によりフレーム数あるいはフィールド数が変換された画像信号を、前記表示パネルへ出力することを特徴としたものである。
［００２７］
第８の技術手段は、第７の技術手段において、前記他のレート変換手段は、前記入力画像信号のフレーム間あるいはフィールド間に、該フレームあるいはフィールドの画像信号を挿入することにより、前記入力画像信号のフレーム数あるいはフィールド数を変換するものであることを特徴としたものである。
［００２８］
第９の技術手段は、第７の技術手段において、前記他のレート変換手段は、前記入力画像信号のフレーム間あるいはフィールド間に、線形補間処理を施した画像信号を内挿することにより、前記入力画像信号のフレーム数あるいはフィールド数を変換するものであることを特徴としたものである。
【００２９】
第１０の技術手段は、第７の技術手段において、前記他のレート変換手段は、前記入力画像信号のフレーム間あるいはフィールド間に、予め決められた単色画像信号を挿入することにより、前記入力画像信号のフレーム数あるいはフィールド数を変換するものであることを特徴としたものである。
【００３０】
第１１の技術手段は、入力画像信号のフレーム間あるいはフィールド間に、動き補正処理を施した画像信号を内挿することにより、前記入力画像信号のフレーム数あるいはフィールド数を変換して、表示パネルへ出力するレート変換手段を備えた画像表示装置であって、第一の画像信号と、該第一の画像信号とは異なる第二の画像信号とを合成して表示する場合、前記レート変換手段における動き補正処理の補正強度を可変することを特徴としたものである。
【００３１】
第１２の技術手段は、第１１の技術手段において、前記レート変換手段は、動き補正処理を施した画像信号と、線形補間処理を施した画像信号とを所定の比率で加重加算することにより、内挿画像信号を生成する内挿画像生成部を有し、前記第一の画像信号と前記第二の画像信号とを合成して表示する場合、前記加重加算比率を可変することを特徴としたものである。
【００３２】
第１３の技術手段は、第１２の技術手段において、前記内挿画像生成部は、前記第一の画像信号と前記第二の画像信号とを合成して表示する場合、前記線形補間処理を施した画像信号を内挿画像信号とし、前記第一の画像信号と前記第二の画像信号とを合成して表示しない場合、前記動き補正処理を施した画像信号を内挿画像信号とすることを特徴としたものである。
【００３３】
第１４の技術手段は、第１乃至１３のいずれか１の技術手段において、前記第二の画像信号は、前記第一の画像信号の内に合成されるキャラクタ信号であることを特徴としたものである。
【００３４】
第１５の技術手段は、第１４の技術手段において、前記キャラクタ信号は、当該画像表示装置内部で発生するオンスクリーン表示信号であることを特徴としたものである。
【００３５】
第１６の技術手段は、第１乃至１３のいずれか１の技術手段において、前記第二の画像信号は、前記第一の画像信号の内に合成される子画面画像信号であることを特徴としたものである。
【００３６】
第１７の技術手段は、第１６の技術手段において、前記子画面画像信号は、当該画像表示装置で発生するピクチャインピクチャ表示信号であることを特徴としたものである。
【００３７】
第１８の技術手段は、第１乃至１３のいずれか１の技術手段において、前記第二の画像信号は、前記第一の画像信号の外に合成される背景画像信号であることを特徴としたものである。
【００３８】
第１９の技術手段は、第１８の技術手段において、前記背景画像信号は、データ情報表示信号であることを特徴としたものである。
【００３９】
第２０の技術手段は、第１８の技術手段において、前記背景画像信号は、番組情報表示信号であることを特徴としたものである。
【００４０】
第２１の技術手段は、第１乃至１３のいずれか１の技術手段において、前記第二の画像信号は、前記第一の画像信号の外に合成される他画面画像信号であることを特徴としたものである。
【００４１】
第２２の技術手段は、第２１の技術手段において、前記他画面画像信号は、当該画像表示装置で発生するピクチャアウトピクチャ表示信号であることを特徴としたものである。
【００４２】
第２３の技術手段は、入力画像信号のフレーム間あるいはフィールド間に、動き補正処理を施した画像信号を内挿することにより、前記入力画像信号のフレーム数あるいはフィールド数を変換して、表示パネルへ出力するレート変換手段を備えた画像表示装置であって、前記レート変換手段は、前記入力画像信号に含まれる連続したフレーム間あるいはフィールド間で動きベクトル情報を検出する動きベクトル検出部と、該検出した動きベクトル情報に基づいて、前記フレーム間あるいは前記フィールド間に内挿ベクトルを割り付ける内挿ベクトル割付部と、該割り付けた内挿ベクトルから内挿画像信号を生成する内挿画像生成部と、該生成した内挿画像信号を前記フレーム間あるいは前記フィールド間に内挿する画像内挿部とを有し、第一の画像信号と、該第一の画像信号とは異なる第二の画像信号とを合成して表示する場合、前記第二の画像信号が合成された画素あるいは該画素を含む領域に対して、前記第二の画像信号が合成された内挿ブロックの内挿ベクトルを０ベクトルにすることにより、前記内挿ブロックの各画素に対して、前記動き補正処理を無効化することを特徴としたものである。
【００４５】
第２４の技術手段は、第２３の技術手段において、前記第二の画像信号が合成された内挿ブロックにフラグ情報を付与し、該フラグ情報が付与された内挿ブロックの内挿ベクトルの出力を０にすることを特徴としたものである。
［００４６］
［００４７］
［００４８］
【００４９】
第２５の技術手段は、入力画像信号のフレーム間あるいはフィールド間に、動き補正処理を施した画像信号を内挿することにより、前記入力画像信号のフレーム数あるいはフィールド数を変換して、表示パネルへ出力するレート変換手段を備えた画像表示装置であって、第一の画像信号と、該第一の画像信号とは異なる第二の画像信号とを合成して表示する場合、前記第二の画像信号が合成された画素あるいは該画素を含む領域に対して、前記レート変換手段における動き補正処理の補正強度を可変することを特徴としたものである。
【００５０】
第２６の技術手段は、第２５の技術手段において、前記レート変換手段は、動き補正処理を施した画像信号と、線形補間処理を施した画像信号とを所定の比率で加重加算することにより、内挿画像信号を生成する内挿画像生成部を有し、前記第一の画像信号と前記第二の画像信号とを合成して表示する場合、前記第二の画像信号が合成された画素あるいは該画素を含む領域に対して、前記加重加算比率を可変することを特徴としたものである。
【００５１】
第２７の技術手段は、第２６の技術手段において、前記内挿画像生成部は、前記第一の画像信号と前記第二の画像信号とを合成して表示する場合、前記第二の画像信号が合成された画素あるいは該画素を含む領域に対して、前記線形補間処理を施した画像信号を内挿画像信号とし、前記第二の画像信号が合成されていない画素あるいは該画素を含む領域に対して、前記動き補正処理を施した画像信号を内挿画像信号とすることを特徴としたものである。
【００５２】
第２８の技術手段は、第２３乃至２７のいずれか１の技術手段において、前記第二の画像信号は、前記第一の画像信号の内に合成されるキャラクタ信号であることを特徴としたものである。
【００５３】
第２９の技術手段は、第２８の技術手段において、前記キャラクタ信号は、当該画像表示装置内部で発生するオンスクリーン表示信号であることを特徴としたものである。
【００５４】
第３０の技術手段は、第２３乃至２７のいずれか１の技術手段において、前記第二の画像信号は、前記第一の画像信号の内に合成される子画面画像信号であることを特徴としたものである。
【００５５】
第３１の技術手段は、第３０の技術手段において、前記子画面画像信号は、当該画像表示装置で発生するピクチャインピクチャ表示信号であることを特徴としたものである。
【００５６】
第３２の技術手段は、第２３乃至２７のいずれか１の技術手段において、前記第二の画像信号は、前記第一の画像信号の外に合成される背景画像信号であることを特徴としたものである。
【００５７】
第３３の技術手段は、第３２の技術手段において、前記背景画像信号は、データ情報表示信号であることを特徴としたものである。
【００５８】
第３４の技術手段は、第３２の技術手段において、前記背景画像信号は、番組情報表示信号であることを特徴としたものである。
【００５９】
第３５の技術手段は、第２３乃至２７のいずれか１の技術手段において、前記第二の画像信号は、前記第一の画像信号の外に合成される他画面画像信号であることを特徴としたものである。
【００６０】
第３６の技術手段は、第３５の技術手段において、前記他画面画像信号は、当該画像表示装置で発生するピクチャアウトピクチャ表示信号であることを特徴としたものである。
【００６１】
第３７の技術手段は、入力画像信号のフレーム間あるいはフィールド間に、動き補正処理を施した画像信号を内挿することにより、前記入力画像信号のフレーム数あるいはフィールド数を変換するステップを有する画像表示方法において、第一の画像信号と、該第一の画像信号とは異なる第二の画像信号とが合成されたかどうかを判定するステップと、前記第一の画像信号と前記第二の画像信号とが合成されたと判定された場合、前記第一の画像信号と前記第二の画像信号とを含む全ての画素領域に対して、前記動き補正処理を無効化するステップとを備えたことを特徴としたものである。
【００６２】
第３８の技術手段は、入力画像信号のフレーム間あるいはフィールド間に、動き補正処理を施した画像信号を内挿することにより、前記入力画像信号のフレーム数あるいはフィールド数を変換するステップを有する画像表示方法において、第一の画像信号と、該第一の画像信号とは異なる第二の画像信号とが合成されたかどうかを判定するステップと、前記第一の画像信号と前記第二の画像信号とが合成されたと判定された場合、前記第一の画像信号と前記第二の画像信号とを含む全ての画素領域に対して、前記入力画像信号のフレーム周波数あるいはフィールド周波数を変換せずに、該フレーム周波数あるいはフィールド周波数に合わせて表示パネルの駆動周波数を変更するステップとを備えたことを特徴としたものである。
【００６３】
第３９の技術手段は、入力画像信号のフレーム間あるいはフィールド間に、動き補正処理を施した画像信号を内挿することにより、前記入力画像信号のフレーム数あるいはフィールド数を変換するステップを有する画像表示方法において、第一の画像信号と、該第一の画像信号とは異なる第二の画像信号とが合成されたかどうかを判定するステップと、前記第一の画像信号と前記第二の画像信号とが合成されたと判定された場合、前記第一の画像信号と前記第二の画像信号とを含む全ての画素領域に対して、前記入力画像信号のフレーム間あるいはフィールド間に、該フレームあるいはフィールドの画像信号を挿入することにより、前記入力画像信号のフレーム数あるいはフィールド数を変換するステップとを備えたことを特徴としたものである。
【００６４】
第４０の技術手段は、入力画像信号のフレーム間あるいはフィールド間に、動き補正処理を施した画像信号を内挿することにより、前記入力画像信号のフレーム数あるいはフィールド数を変換するステップを有する画像表示方法において、第一の画像信号と、該第一の画像信号とは異なる第二の画像信号とが合成されたかどうかを判定するステップと、前記第一の画像信号と前記第二の画像信号とが合成されたと判定された場合、前記第一の画像信号と前記第二の画像信号とを含む全ての画素領域に対して、前記入力画像信号のフレーム間あるいはフィールド間に、線形補間処理を施した画像信号を内挿することにより、前記入力画像信号のフレーム数あるいはフィールド数を変換するステップとを備えたことを特徴としたものである。
【００６５】
第４１の技術手段は、入力画像信号のフレーム間あるいはフィールド間に、動き補正処理を施した画像信号を内挿することにより、前記入力画像信号のフレーム数あるいはフィールド数を変換するステップを有する画像表示方法において、第一の画像信号と、該第一の画像信号とは異なる第二の画像信号とが合成されたかどうかを判定するステップと、前記第一の画像信号と前記第二の画像信号とが合成されたと判定された場合、前記入力画像信号のフレーム間あるいはフィールド間に、予め決められた単色画像信号を挿入することにより、前記入力画像信号のフレーム数あるいはフィールド数を変換するステップとを備えたことを特徴としたものである。
【００６６】
第４２の技術手段は、入力画像信号のフレーム間あるいはフィールド間に、動き補正処理を施した画像信号を内挿することにより、前記入力画像信号のフレーム数あるいはフィールド数を変換するステップを有する画像表示方法において、第一の画像信号と、該第一の画像信号とは異なる第二の画像信号とが合成されたかどうかを判定するステップと、前記第一の画像信号と前記第二の画像信号とが合成されたと判定された場合、前記動き補正処理の補正強度を可変するステップとを備えたことを特徴としたものである。
【００６７】
第４３の技術手段は、入力画像信号のフレーム間あるいはフィールド間に、動き補正処理を施した画像信号を内挿することにより、前記入力画像信号のフレーム数あるいはフィールド数を変換するステップを有する画像表示方法において、前記ステップは、前記入力画像信号に含まれる連続したフレーム間あるいはフィールド間で動きベクトル情報を検出する動きベクトル検出ステップと、該検出した動きベクトル情報に基づいて、前記フレーム間あるいは前記フィールド間に内挿ベクトルを割り付ける内挿ベクトル割付ステップと、該割り付けた内挿ベクトルから内挿画像信号を生成する内挿画像生成ステップと、該生成した内挿画像信号を前記フレーム間あるいは前記フィールド間に内挿する画像内挿ステップとを有し、さらに、第一の画像信号と、該第一の画像信号とは異なる第二の画像信号とが合成されたかどうかを判定するステップと、前記第一の画像信号と前記第二の画像信号とが合成されたと判定された場合、前記第二の画像信号が合成された画素あるいは該画素を含む領域に対して、前記第二の画像信号が合成された内挿ブロックの内挿ベクトルを０ベクトルにすることにより、前記内挿ブロックの各画素に対して、前記動き補正処理を無効化するステップとを備えたことを特徴としたものである。
［００６８］
［００６９］
【００７０】
第４４の技術手段は、入力画像信号のフレーム間あるいはフィールド間に、動き補正処理を施した画像信号を内挿することにより、前記入力画像信号のフレーム数あるいはフィールド数を変換するステップを有する画像表示方法において、第一の画像信号と、該第一の画像信号とは異なる第二の画像信号とが合成されたかどうかを判定するステップと、前記第一の画像信号と前記第二の画像信号とが合成されたと判定された場合、前記第二の画像信号が合成された画素あるいは該画素を含む領域に対して、前記動き補正処理の補正強度を可変するステップとを備えたことを特徴としたものである。
【発明の効果】
［００７１］
本発明によれば、第一の画像信号と該第一の画像信号とは異なる第二の画像信号とを合成して表示する場合、動き補償による内挿処理を行わないようにすることにより、前記第二の画像信号の表示部分の画質劣化を効果的に防止することができる。
［００７２］
また、第一の画像信号と該第一の画像信号とは異なる第二の画像信号とを合成して表示する場合、前記第二の画像信号が合成される画素あるいは該画素を含む領域に対しては、動き補償による内挿処理を行わないようにすることにより、前記第二の画像信号の表示部分の画質劣化を効果的に防止することができる。
【図面の簡単な説明】
［００７３］
［図１］本発明の画像表示装置が備えるフレームレート変換部の構成例を示すブロック図である。
［図２］フレーム生成部による内挿フレーム生成処理の一例を説明するための図である。
［図３］本発明の第１の実施形態に係る液晶表示装置の要部構成例を示すブロック図である。
［図４］本発明の第２の実施形態に係る液晶表示装置の要部構成例を示すブロック図である。
【図５】本発明の第３の実施形態に係る液晶表示装置の要部構成例を示すブロック図である。
【図６】本発明の第４の実施形態に係る液晶表示装置の要部構成例を示すブロック図である。
【図７】本発明の第５の実施形態に係る液晶表示装置の要部構成例を示すブロック図である。
【図８】本発明の第５の実施形態に係る入力データと出力データの関係を示す図である。
【図９】本発明の第６の実施形態に係る液晶表示装置の要部構成例を示すブロック図である。
【図１０】本発明の第７の実施形態に係る液晶表示装置の要部構成例を示すブロック図である。
【図１１】本発明の第７の実施形態に係る入力データと出力データの関係を示す図である。
【図１２】本発明の第８の実施形態に係る液晶表示装置の要部構成例を示すブロック図である。
【図１３】本発明の第９の実施形態に係る液晶表示装置の要部構成例を示すブロック図である。
【図１４】本発明の第９の実施形態に係る入力データと出力データの関係を示す図である。
【図１５】本発明の第１０の実施形態に係る液晶表示装置の要部構成例を示すブロック図である。
【図１６】本発明の第１１の実施形態に係る液晶表示装置の要部構成例を示すブロック図である。
【図１７】本発明の第１１の実施形態に係る入力データと出力データの関係を示す図である。
【図１８】本発明の第１２の実施形態に係る液晶表示装置の要部構成例を示すブロック図である。
【図１９】本発明の第１３及び第１４の実施形態に係るＦＲＣ部の要部構成例を示すブロック図である。
【図２０】本発明の画像表示装置による画像表示方法の一例を説明するためのフロー図である。
【図２１】本発明の画像表示装置による画像表示方法の他の例を説明するためのフロー図である。
【図２２】本発明の画像表示装置による画像表示方法の他の例を説明するためのフロー図である。
【図２３】本発明の画像表示装置による画像表示方法の他の例を説明するためのフロー図である。
【図２４】本発明の画像表示装置による画像表示方法の他の例を説明するためのフロー図である。
【図２５】本発明の画像表示装置による画像表示方法の他の例を説明するためのフロー図である。
【図２６】複数の画像合成表示例を説明するための図である。
【図２７】本発明の第１５の実施形態に係る液晶表示装置の要部構成例を示すブロック図である。
【図２８】本発明の第１６の実施形態に係る液晶表示装置の要部構成例を示すブロック図である。
【図２９】本発明の第１７の実施形態に係る液晶表示装置の要部構成例を示すブロック図である。
【図３０】本発明の第１８の実施形態に係る液晶表示装置の要部構成例を示すブロック図である。
【図３１】本発明の第１９の実施形態に係る液晶表示装置の要部構成例を示すブロック図である。
【図３２】本発明の第２０の実施形態に係る液晶表示装置の要部構成例を示すブロック図である。
【図３３】本発明の第２１の実施形態に係る液晶表示装置の要部構成例を示すブロック図である。
【図３４】本発明の第２２の実施形態に係る液晶表示装置の要部構成例を示すブロック図である。
【図３５】本発明の第２３及び第２４の実施形態に係るＦＲＣ部の要部構成例を示すブロック図である。
【図３６】本発明の画像表示装置による画像表示方法の一例を説明するためのフロー図である。
【図３７】本発明の画像表示装置による画像表示方法の他の例を説明するためのフロー図である。
【図３８】本発明の画像表示装置による画像表示方法の他の例を説明するためのフロー図である。
【図３９】本発明の画像表示装置による画像表示方法の他の例を説明するためのフロー図である。
【図４０】本発明の画像表示装置による画像表示方法の他の例を説明するためのフロー図である。
【図４１】本発明の画像表示装置による画像表示方法の他の例を説明するためのフロー図である。
【図４２】本発明の画像表示装置による画像表示方法の他の例を説明するためのフロー図である。
【図４３】本発明の画像表示装置による画像表示方法の他の例を説明するためのフロー図である。
【図４４】従来の液晶表示装置におけるＦＲＣ駆動表示回路の概略構成を示すブロック図である。
【図４５】図４４に示した従来のＦＲＣ駆動表示回路によるフレームレート変換処理を説明するための図である。
【図４６】動きベクトル検出部及び内挿フレーム生成部による内挿フレーム生成処理について説明するための図である。
【符号の説明】
【００７４】
１０，１００…フレームレート変換（ＦＲＣ）部、１１…ベクトル検出部、１１ａ…輝度信号抽出部、１１ｂ…前処理フィルタ、１１ｃ…動き検出用フレームメモリ、１１ｄ…初期ベクトルメモリ、１１ｅ，１０１…動きベクトル検出部、１１ｆ…内挿ベクトル評価部、１２…フレーム生成部、１２ａ…内挿用フレームメモリ、１２ｂ，１０２…内挿フレーム生成部、１２ｃ…タイムベース変換用フレームメモリ、１２ｄ…タイムベース変換部、１２ｅ，１２ｇ…補正強度可変部、１２ｆ…内挿ベクトルメモリ、１３…合成部、１４…ＯＳＤ処理部、１５…制御部、１６，４１…切替部、１７…０ベクトル、１８，１０４…電極駆動部、１９，１０３…液晶表示パネル、２０…子画面処理部、２１，４２…経路、２２，４４…メモリ、２３，４３…線形補間内挿処理部、２４…黒レベル信号挿入処理部、１０５…動きベクトル、１０６…内挿ベクトル、１０７…内挿フレーム。
【発明を実施するための最良の形態】
【００７５】
以下、添付図面を参照しながら本発明の好適な画像表示装置の実施の形態について説明する。なお、本発明は、フィールド信号及び内挿フィールド信号、フレーム信号及び内挿フレーム信号のいずれに対しても適用できるものであるが、両者（フィールドとフレーム）は互いに類似の関係にあるため、フレーム信号及び内挿フレーム信号を代表例として説明するものとする。
【００７６】
図１は、本発明の画像表示装置が備える動き補償型フレームレート変換部の構成例を示すブロック図で、図中、１０はフレームレート変換部（以下、ＦＲＣ部）で、該ＦＲＣ部１０は、本発明のレート変換手段に相当し、入力画像信号に含まれる２つの連続したフレーム間で動きベクトルを検出するベクトル検出部１１と、検出した動きベクトルに基づいて内挿フレーム（内挿画像）を生成するフレーム生成部１２とから構成される。なお、ベクトル検出部１１は、動きベクトル検出に反復勾配法を用いた場合の例について示すが、この反復勾配法に限定されず、ブロックマッチング法などを用いてもよい。
【００７７】
ここで、反復勾配法の特徴は、動きベクトルの検出がブロック単位で可能であるため、数種類の動き量が検出でき、また、小領域の動物体でも動きベクトルを検出することができる。また、回路構成も他の方式（ブロックマッチング法など）と比較して小規模で実現することができる。この反復勾配法では、被検出ブロックに対して、すでに検出された近傍のブロックの動きベクトルを初期偏位ベクトルとして、これを起点として勾配法の演算を繰り返す方法が用いられる。この方法によれば、勾配法の繰り返しは２回程度でほぼ正確な動き量を得ることができる。
【００７８】
図１において、ベクトル検出部１１は、入力画像信号（ＲＧＢ信号）から輝度信号（Ｙ信号）を抽出する輝度信号抽出部１１ａと、抽出したＹ信号にＬＰＦを掛けて高域部の帯域を制限するための前処理フィルタ１１ｂと、動き検出用フレームメモリ１１ｃと、初期ベクトル候補を蓄積するための初期ベクトルメモリ１１ｄと、反復勾配法を用いてフレーム間の動きベクトルを検出する動きベクトル検出部１１ｅと、検出した動きベクトルに基づいてフレーム間に内挿ベクトルを割り付ける内挿ベクトル評価部１１ｆと、を備えて構成される。
【００７９】
なお、ＦＲＣ部１０は、本発明のレート変換手段に相当し、動きベクトル検出部１１ｅは、本発明の動きベクトル検出部に相当し、内挿ベクトル評価部１１ｆは、本発明の内挿ベクトル割付部に相当する。
【００８０】
上記反復勾配法の演算は画素の微分成分を用いているため、ノイズの影響を受け易く、また、検出ブロック内の勾配の変化量が多いと演算誤差が大きくなるため、前処理フィルタ１１ｂにおいてＬＰＦをかけて高域部の帯域を制限しておく。初期ベクトルメモリ１１ｄには、初期ベクトル候補として、前々フレームで既に検出されている動きベクトル（初期ベクトル候補）を蓄積しておく。
【００８１】
動きベクトル検出部１１ｅは、初期ベクトルメモリ１１ｄに蓄積されている初期ベクトル候補の中から被検出ブロックの動きベクトルに最も近い動きベクトルを初期ベクトルとして選択する。すなわち、被検出ブロック近傍のブロックにおける既検出動きベクトル（初期ベクトル候補）の中からブロックマッチング法により初期ベクトルを選択する。そして、動きベクトル検出部１１ｅは、選択した初期ベクトルを起点として、勾配法演算によって前フレームと現フレーム間の動きベクトルを検出する。
【００８２】
内挿ベクトル評価部１１ｆは、動きベクトル検出部１１ｅにより検出された動きベクトルを評価し、その評価結果に基づいて最適な内挿ベクトルをフレーム間の内挿ブロックに割り付けて、フレーム生成部１２に出力する。
【００８３】
フレーム生成部１２は、２つの入力フレーム（前フレーム、現フレーム）を蓄積するための内挿用フレームメモリ１２ａと、内挿用フレームメモリ１２ａからの２つの入力フレームと内挿ベクトル評価部１１ｆからの内挿ベクトルとに基づいて内挿フレームを生成する内挿フレーム生成部１２ｂと、入力フレーム（前フレーム、現フレーム）を蓄積するためのタイムベース変換用フレームメモリ１２ｃと、タイムベース変換用フレームメモリ１２ｃからの入力フレームに内挿フレーム生成部１２ｂからの内挿フレームを挿入して出力画像信号（ＲＧＢ信号）を生成するタイムベース変換部１２ｄと、を備えて構成される。
【００８４】
なお、内挿フレーム生成部１２ｂは、本発明の内挿画像生成部に相当し、タイムベース変換部１２ｄは、本発明の画像内挿部に相当する。
【００８５】
図２は、フレーム生成部１２による内挿フレーム生成処理の一例を説明するための図である。内挿フレーム生成部１２ｂは、内挿ブロックに割り付けられた内挿ベクトルＶを前フレーム、現フレームに伸ばして、各フレームとの交点近傍の画素を用いて内挿ブロック内の各画素を補間する。例えば、前フレームでは近傍３点よりＡ点の輝度を算出する。現フレームでは近傍３点よりＢ点の輝度を算出する。内挿フレームではＰ点の輝度をＡ点とＢ点の輝度から補間する。Ｐ点の輝度は、例えばＡ点の輝度とＢ点の輝度の平均としてもよい。
【００８６】
上記のようにして生成された内挿フレームは、タイムベース変換部１２ｄに送られる。タイムベース変換部１２ｄは、前フレーム、現フレームの間に、内挿フレームを挟み込んで、フレームレートを変換する処理を行う。このように、ＦＲＣ部１０により、入力画像信号（６０フレーム／秒）を、動き補償された出力画像信号（１２０フレーム／秒）へ変換することができ、これを表示パネルに出力することにより、動きぼけを低減して動画質を改善することが可能となる。尚、ここでは、６０フレーム／秒の入力画像信号を、１２０フレーム／秒の出力画像信号にフレームレート変換する場合について説明するが、例えば９０フレーム／秒、１８０フレーム／秒の出力画像信号を得る場合に適用しても良いことは言うまでもない。
【００８７】
本発明の画像表示装置は、図１に示したＦＲＣ部１０を備え、第一の画像信号（例えば動画像信号）と該第一の画像信号とは動き特性が異なる第二の画像信号（例えばＯＳＤなどの静止キャラクタ信号）とを合成して表示するときに、ＦＲＣ部１０における動き補正処理を無効化して、ＦＲＣ処理に起因する第二の画像信号の表示部分（例えばキャラクタ表示部分）の画質劣化を防止することを主たる目的とする。なお、本発明は、液晶ディスプレイ、有機ＥＬディスプレイ、電気泳動ディスプレイなどのホールド型の表示特性を有する画像表示装置全般に適用可能であるが、以下の各実施形態においては、表示パネルとして液晶表示パネルを用いた液晶表示装置に本発明を適用した場合を代表例として説明する。
【００８８】
（第１の実施形態）
本発明の第１の実施形態は、第一の画像信号を例えば放送を受信して得られたテレビジョン画像信号、第二の画像信号を例えば装置内部で発生したＯＳＤ（Ｏｎ  Ｓｃｒｅｅｎ  Ｄｉｓｐｌａｙ）などのキャラクタ信号とし、両者の画像信号を合成（重畳）して表示するときに、ＦＲＣ部１０の動き補正処理を無効化するために、動きベクトル検出部１１ｅの出力を強制的に０ベクトルにするものである。
なお、ＦＲＣ部１０に入力される画像信号を入力画像信号とし、第一の画像信号に第二の画像信号が合成された場合、その合成画像信号が入力画像信号となり、第一の画像信号に第二の画像信号が合成されない場合、第一の画像信号が入力画像信号となる。このことは、以下に示す各実施形態において同様とする。
【００８９】
図３は、本発明の第１の実施形態に係る液晶表示装置の要部構成例を示すブロック図で、液晶表示装置は、ＦＲＣ部１０、合成部１３、ＯＳＤ処理部１４、制御部１５、切替部１６、電極駆動部１８、及び液晶表示パネル１９を備えて構成されている。切替部１６は、ＦＲＣ部１０内の動きベクトル検出部１１ｅと内挿ベクトル評価部１１ｆの間に設けられ、制御部１５からの指示に従って、動きベクトル検出部１１ｅからの動きベクトルを０ベクトル１７へ切り替える。
【００９０】
ＯＳＤ処理部１４は、所定の文字や、数字、記号などをオンスクリーン表示するためのオンスクリーン表示信号（ＯＳＤ信号）を生成する。このＯＳＤ表示のＯＮ／ＯＦＦは、リモコン（リモートコントロール装置）等を用いてユーザによりなされる指示操作に応じて制御される。合成部１３は、ＯＳＤ処理部１４からのＯＳＤ信号をテレビジョン画像信号に合成（重畳）する。
【００９１】
液晶表示パネル１９は、液晶層と該液晶層に走査信号及びデータ信号を印加するための電極とを有するアクティブマトリクス型の液晶ディスプレイである。電極駆動部１８は、ＦＲＣ部１０によりフレームレート変換された画像信号に基づいて液晶表示パネル１９の走査電極及びデータ電極を駆動するための表示ドライバである。制御部１５は、上記各部を制御するためのＣＰＵを備え、ユーザの指示等に応じてＯＳＤ処理部１４によりテレビジョン画像信号にＯＳＤ信号が重畳された場合、ＦＲＣ部１０における動き補正処理を無効化するように制御する。
【００９２】
ここで、テレビジョン画像信号に重畳させる信号は、文字や、数字、記号、画像などの静止状態にあるキャラクタ信号であればよく、上記の装置内部で発生されるＯＳＤ信号に限定されず、文字放送／テレテキスト放送により送信・受信された文字（字幕）信号であってもよい。また、放送局などの送信側で予めテレビジョン画像信号に合成された番組ロゴやテロップなどの文字情報信号であってもよい。この場合、文字情報信号が合成されているか否かを検出し、この文字情報信号が合成されている場合は、ＦＲＣ部１０における動き補正処理を無効化するようにすればよい。但し、文字がスクロール等されて動きを伴う場合には、ＦＲＣ部１０の動き補正処理を実行したほうが好ましい。
【００９３】
液晶表示パネル１９の駆動周波数は、ＦＲＣ部１０により変換されたフレーム周波数となる。従って、６０Ｈｚのフレーム周波数で入力された画像信号が、ＦＲＣ部１０で１２０Ｈｚのフレーム周波数に変換された場合、液晶表示パネル１９の駆動周波数は、１２０Ｈｚとなる。但し、ＦＲＣ処理によるフレーム周波数変換を行わない場合で、入力画像信号をそのまま表示出力する場合は、液晶表示パネル１９の駆動周波数は、入力画像信号のフレーム周波数となる。
【００９４】
制御部１５は、ＯＳＤ処理部１４によりテレビジョン画像信号にＯＳＤ信号が重畳された場合、切替部１６を０ベクトル１７側に切り替えて、動きベクトル検出部１１ｅで検出された動きベクトルを強制的に０ベクトルに置き換える。また、ＯＳＤ処理部１４によりテレビジョン画像信号にＯＳＤ信号が重畳されない場合、切替部１６を動きベクトル検出部１１ｅ側に切り替えて、動きベクトル検出部１１ｅで検出された動きベクトルを内挿ベクトル評価部１１ｆに入力する。
【００９５】
このように、通常の動画像表示時においては動き補償型のＦＲＣ処理により動画質を改善することができるとともに、ＯＳＤ信号が重畳された画像信号が入力された場合には、動きベクトルを０ベクトルにして動き補正処理を無効化することにより、動画像と静止画像（ＯＳＤ）とが混在することによる動きベクトルの検出エラー、動き補正のエラー等をなくし、動き補償型のＦＲＣ処理に起因するＯＳＤ部分の画質劣化を効果的に防止することができる。
【００９６】
（第２の実施形態）
本発明の第２の実施形態は、第一の画像信号を例えば放送を受信して得られたテレビジョン画像信号（親画面画像信号）、第二の画像信号を例えば装置内部で発生したＰｉｎＰ（Ｐｉｃｔｕｒｅ  ｉｎ  Ｐｉｃｔｕｒｅ）などの子画面画像信号とし、両者の画像信号を合成（重畳）して表示するときに、ＦＲＣ部１０の動き補正処理を無効化するために、動きベクトル検出部１１ｅの出力を強制的に０ベクトルにするものである。
【００９７】
図４は、本発明の第２の実施形態に係る液晶表示装置の要部構成例を示すブロック図で、液晶表示装置は、ＦＲＣ部１０、合成部１３、子画面処理部２０、制御部１５、切替部１６、電極駆動部１８、及び液晶表示パネル１９を備えて構成されている。切替部１６は、ＦＲＣ部１０内の動きベクトル検出部１１ｅと内挿ベクトル評価部１１ｆの間に設けられ、制御部１５からの指示に従って、動きベクトル検出部１１ｅからの動きベクトルを０ベクトル１７へ切り替える。
【００９８】
子画面処理部２０は、縮小されたテレビジョン画像（動画像）や、キャプチャ画像（静止画）などを子画面表示するためのＰｉｎＰ表示信号を生成する。この子画面（ＰｉｎＰ）表示のＯＮ／ＯＦＦは、リモコン等を用いてユーザによりなされる指示操作に応じて制御される。合成部１３は、子画面処理部２０からのＰｉｎＰ表示信号をテレビジョン画像信号に合成（重畳）する。
【００９９】
液晶表示パネル１９は、液晶層と該液晶層に走査信号及びデータ信号を印加するための電極とを有するアクティブマトリクス型の液晶ディスプレイである。電極駆動部１８は、ＦＲＣ部１０によりフレームレート変換された画像信号に基づいて液晶表示パネル１９の走査電極及びデータ電極を駆動するための表示ドライバである。制御部１５は、上記各部を制御するためのＣＰＵを備え、ユーザの指示等に応じて子画面処理部２０によりテレビジョン画像信号にＰｉｎＰ表示信号が重畳された場合、ＦＲＣ部１０における動き補正処理を無効化するように制御する。
【０１００】
ここで、テレビジョン画像信号（親画面画像信号）に重畳させる子画面画像信号は、文字や、数字、記号、画像などのキャラクタ信号や、静止画像、動画像などの画像信号であればよく、上記の装置内部で発生される子画面画像信号に限定されず、外部より入力されるものであってもよい。また、放送局などの送信側で予め合成された子画面画像信号であってもよい。この場合、子画面画像信号が合成されているか否かを検出し、子画面画像信号が合成されていることが検出された場合、ＦＲＣ部１０における動き補正処理を無効化するようにすればよい。
【０１０１】
液晶表示パネル１９の駆動周波数は、ＦＲＣ部１０により変換されたフレーム周波数となる。従って、６０Ｈｚのフレーム周波数で入力された画像信号が、ＦＲＣ部１０で１２０Ｈｚのフレーム周波数に変換された場合、液晶表示パネル１９の駆動周波数は、１２０Ｈｚとなる。但し、ＦＲＣ処理によるフレーム周波数変換を行わない場合で、入力画像信号をそのまま表示出力する場合は、液晶表示パネル１９の駆動周波数は、入力画像信号のフレーム周波数となる。
【０１０２】
制御部１５は、子画面処理部２０によりテレビジョン画像信号にＰｉｎＰ表示信号が重畳された場合、切替部１６を０ベクトル１７側に切り替えて、動きベクトル検出部１１ｅで検出された動きベクトルを強制的に０ベクトルに置き換える。また、子画面処理部２０によりテレビジョン画像信号にＰｉｎＰ表示信号が重畳されない場合、切替部１６を動きベクトル検出部１１ｅ側に切り替えて、動きベクトル検出部１１ｅで検出された動きベクトルを内挿ベクトル評価部１１ｆに入力する。
【０１０３】
このように、通常の動画像表示時においては動き補償型のＦＲＣ処理により動画質を改善することができるとともに、ＰｉｎＰ表示信号が重畳された画像信号が入力された場合には、動きベクトルを０ベクトルにして動き補正処理を無効化することにより、異なる動き特性を持つ動画像が混在することによる動きベクトルの検出エラー、動き補正のエラー等をなくし、動き補償型のＦＲＣ処理に起因する子画面部分の画質劣化を効果的に防止することができる。
【０１０４】
（第３の実施形態）
本発明の第３の実施形態は、第一の画像信号を例えば放送を受信して得られたテレビジョン画像信号、第二の画像信号を例えばＯＳＤなどのキャラクタ信号とし、両者の画像信号を合成（重畳）して表示するときに、ＦＲＣ部１０の動き補正処理を無効化するために、内挿ベクトル評価部１１ｆからの内挿ベクトルを０ベクトルにして、異なる位置の画素間での内挿が生じないようにするものである。
【０１０５】
図５は、本発明の第３の実施形態に係る液晶表示装置の要部構成例を示すブロック図で、液晶表示装置は、ＦＲＣ部１０、合成部１３、ＯＳＤ処理部１４、制御部１５、切替部１６、電極駆動部１８、及び液晶表示パネル１９を備えて構成されている。切替部１６は、ＦＲＣ部１０内の内挿ベクトル評価部１１ｆと内挿フレーム生成部１２ｂの間に設けられ、制御部１５からの指示に従って、内挿ベクトル評価部１１ｆからの内挿ベクトルを０ベクトル１７へ切り替える。なお、ＯＳＤ表示のＯＮ／ＯＦＦは、リモコン等を用いてユーザによりなされる指示操作に応じて制御される。
【０１０６】
制御部１５は、ＯＳＤ処理部１４によりテレビジョン画像信号にＯＳＤ信号が重畳された場合、切替部１６を０ベクトル１７側に切り替えて、内挿ベクトル評価部１１ｆで割り付けられた内挿ベクトルを０ベクトルにする。また、ＯＳＤ処理部１４によりテレビジョン画像信号にＯＳＤ信号が重畳されない場合、切替部１６を内挿ベクトル評価部１１ｆ側に切り替えて、内挿ベクトル評価部１１ｆで割り付けられた内挿ベクトルを内挿フレーム生成部１２ｂに入力する。
【０１０７】
このように、ＯＳＤ信号が重畳された画像信号が入力された場合には、強制的に内挿ベクトルを０ベクトルにして動き補正処理を無効化することにより、上記第１の実施形態と同様、動画像と静止画像（ＯＳＤ）とが混在することによる動きベクトルの検出エラー、動き補正のエラー等をなくし、動き補償型のＦＲＣ処理に起因するＯＳＤ部分の画質劣化を効果的に防止することができる。
【０１０８】
（第４の実施形態）
本発明の第４の実施形態は、第一の画像信号を例えば放送を受信して得られたテレビジョン画像信号、第二の画像信号を例えばＰｉｎＰなどの子画面画像信号とし、両者の画像信号を合成（重畳）して表示するときに、ＦＲＣ部１０の動き補正処理を無効化するために、内挿ベクトル評価部１１ｆからの内挿ベクトルを０ベクトルにして、異なる位置の画素間での内挿が生じないようにするものである。
【０１０９】
図６は、本発明の第４の実施形態に係る液晶表示装置の要部構成例を示すブロック図で、液晶表示装置は、ＦＲＣ部１０、合成部１３、子画面処理部２０、制御部１５、切替部１６、電極駆動部１８、及び液晶表示パネル１９を備えて構成されている。切替部１６は、ＦＲＣ部１０内の内挿ベクトル評価部１１ｆと内挿フレーム生成部１２ｂの間に設けられ、制御部１５からの指示に従って、内挿ベクトル評価部１１ｆからの内挿ベクトルを０ベクトル１７へ切り替える。なお、子画面（ＰｉｎＰ）表示のＯＮ／ＯＦＦは、リモコン等を用いてユーザによりなされる指示操作に応じて制御される。
【０１１０】
制御部１５は、子画面処理部２０によりテレビジョン画像信号にＰｉｎＰ表示信号が重畳された場合、切替部１６を０ベクトル１７側に切り替えて、内挿ベクトル評価部１１ｆで割り付けられた内挿ベクトルを０ベクトルにする。また、子画面処理部２０によりテレビジョン画像信号にＰｉｎＰ表示信号が重畳されない場合、切替部１６を内挿ベクトル評価部１１ｆ側に切り替えて、内挿ベクトル評価部１１ｆで割り付けられた内挿ベクトルを内挿フレーム生成部１２ｂに入力する。
【０１１１】
このように、ＰｉｎＰ表示信号が重畳された画像信号が入力された場合には、強制的に内挿ベクトルを０ベクトルにして動き補正処理を無効化することにより、上記第２の実施形態と同様、異なる動き特性を持つ動画像が混在することによる動きベクトルの検出エラー、動き補正のエラー等をなくし、動き補償型のＦＲＣ処理に起因する子画面部分の画質劣化を効果的に防止することができる。
【０１１２】
（第５の実施形態）
本発明の第５の実施形態は、ＦＲＣ部１０を迂回させるための経路を設け、第一の画像信号を例えば放送を受信して得られたテレビジョン画像信号、第二の画像信号を例えばＯＳＤなどのキャラクタ信号とし、両者の画像信号を合成（重畳）して表示するときに、キャラクタ信号が重畳された入力画像信号を経路側へ入力し、該入力画像信号のフレーム周波数に合わせて液晶表示パネル１９の駆動周波数を変更するものである。すなわち、キャラクタ信号が重畳された画像信号が入力された場合には、フレームレート変換を行わず、キャラクタ信号が重畳された入力画像信号をそのまま液晶表示パネル１９に表示出力するように切り替えるものである。
【０１１３】
図７は、本発明の第５の実施形態に係る液晶表示装置の要部構成例を示すブロック図で、液晶表示装置は、ＦＲＣ部１０、合成部１３、ＯＳＤ処理部１４、制御部１５、切替部１６、電極駆動部１８、液晶表示パネル１９、さらに、ＦＲＣ部１０を迂回させるための経路２１を備えて構成されている。切替部１６は、ＦＲＣ部１０の前段に設けられ、制御部１５からの指示に従って、入力画像信号をＦＲＣ部１０に入力するか、経路２１に入力するかを切り替える。なお、ＯＳＤ表示のＯＮ／ＯＦＦは、リモコン等を用いてユーザによりなされる指示操作に応じて制御される。
【０１１４】
制御部１５は、ＯＳＤ処理部１４によりテレビジョン画像信号にＯＳＤ信号が重畳された場合、切替部１６を経路２１側に切り替えて、ＦＲＣ部１０を迂回させる。また、ＯＳＤ処理部１４によりテレビジョン画像信号にＯＳＤ信号が重畳されない場合、切替部１６をＦＲＣ部１０側に切り替えて、入力画像信号に対してＦＲＣ処理（動き補償フレーム内挿処理）を行う。尚、切替部１６をＦＲＣ部１０の後段に設けて、ＦＲＣ部１０の出力信号と経路２１の出力信号とを切り替えて、液晶表示パネル１９へ出力する構成としても良い。
【０１１５】
本実施形態では、制御部１５は、液晶表示パネル１９の駆動周波数を変更可能とし、ＯＳＤ信号が重畳された画像信号が入力された場合、入力画像信号を経路２１側へ入力し、該入力画像信号のフレーム周波数に合わせて液晶表示パネル１９の駆動周波数を変更する。
【０１１６】
図８は、本発明の第５の実施形態に係る入力データと出力データの関係を示す図である。図８（Ａ）は、経路２１への入力データを示し、図８（Ｂ）は、経路２１からの出力データを示す。図８（Ａ）に示すように、６０Ｈｚのフレーム周波数で入力画像信号（入力データ）が経路２１に入力された場合、１フレーム当りの表示時間は約１６．７ｍｓとなる。制御部１５は、表示ドライバである電極駆動部１８を制御して、液晶表示パネル１９の駆動周波数を１２０Ｈｚから６０Ｈｚに変更し、上記入力データを、図８（Ｂ）に示すように、６０Ｈｚのままフレームレート変換せずに経路２１から出力させる。
【０１１７】
液晶表示パネル１９は、フレーム数変換されずに経路２１から出力されたフレームを、駆動周波数６０Ｈｚで表示するため、このときの１フレーム当りの表示時間は約１６．７ｍｓのままとなる。
【０１１８】
このように、通常の動画像表示時においては動き補償型のＦＲＣ処理により動画質を改善することができるとともに、ＯＳＤ信号が重畳された画像信号が入力された場合には、ＦＲＣ処理を迂回させて、フレームレート変換自体を禁止することにより、動画像と静止画像（ＯＳＤ）とが混在することによる動きベクトルの検出エラー、動き補正のエラー等をなくし、動き補償型のＦＲＣ処理に起因するＯＳＤ部分の画質劣化を効果的に防止することができる。
【０１１９】
（第６の実施形態）
本発明の第６の実施形態は、ＦＲＣ部１０を迂回させるための経路を設け、第一の画像信号を例えば放送を受信して得られたテレビジョン画像信号、第二の画像信号を例えばＰｉｎＰなどの子画面画像信号とし、両者の画像信号を合成（重畳）して表示するときに、子画面画像信号が重畳された入力画像信号を経路側へ入力し、該入力画像信号のフレーム周波数に合わせて液晶表示パネル１９の駆動周波数を変更するものである。すなわち、子画面画像信号が重畳された画像信号が入力された場合には、フレームレート変換を行わず、子画面画像信号が重畳された入力画像信号をそのまま液晶表示パネル１９に表示出力するように切り替えるものである。
【０１２０】
図９は、本発明の第６の実施形態に係る液晶表示装置の要部構成例を示すブロック図で、液晶表示装置は、ＦＲＣ部１０、合成部１３、子画面処理部２０、制御部１５、切替部１６、電極駆動部１８、液晶表示パネル１９、さらに、ＦＲＣ部１０を迂回させるための経路２１を備えて構成されている。切替部１６は、ＦＲＣ部１０の前段に設けられ、制御部１５からの指示に従って、入力画像信号をＦＲＣ部１０に入力するか、経路２１に入力するかを切り替える。なお、子画面（ＰｉｎＰ）表示のＯＮ／ＯＦＦは、リモコン等を用いてユーザによりなされる指示操作に応じて制御される。
【０１２１】
制御部１５は、子画面処理部２０によりテレビジョン画像信号にＰｉｎＰ表示信号が重畳された場合、切替部１６を経路２１側に切り替えて、ＦＲＣ部１０を迂回させる。また、子画面処理部２０によりテレビジョン画像信号にＰｉｎＰ表示信号が重畳されない場合、切替部１６をＦＲＣ部１０側に切り替えて、入力画像信号に対してＦＲＣ処理（動き補償フレーム内挿処理）を行う。尚、切替部１６をＦＲＣ部１０の後段に設けて、ＦＲＣ部１０の出力信号と経路２１の出力信号とを切り替えて、液晶表示パネル１９へ出力する構成としても良い。
【０１２２】
本実施形態では、制御部１５は、液晶表示パネル１９の駆動周波数を変更可能とし、ＰｉｎＰ表示信号が重畳された画像信号が入力された場合、入力画像信号を経路２１側へ入力し、該入力画像信号のフレーム周波数に合わせて液晶表示パネル１９の駆動周波数を変更する。
【０１２３】
液晶表示パネル１９は、フレーム数変換されずに経路２１から出力されたフレームを、駆動周波数６０Ｈｚで表示するため、このときの１フレーム当りの表示時間は約１６．７ｍｓのままとなる。
【０１２４】
このように、通常の動画像表示時においては動き補償型のＦＲＣ処理により動画質を改善することができるとともに、ＰｉｎＰ表示信号が重畳された画像信号が入力された場合には、ＦＲＣ処理を迂回させて、フレームレート変換自体を禁止することにより、異なる動き特性を持つ動画像が混在することによる動きベクトルの検出エラー、動き補正のエラー等をなくし、動き補償型のＦＲＣ処理に起因する子画面表示部分の画質劣化を効果的に防止することができる。
【０１２５】
（第７の実施形態）
本発明の第７の実施形態は、ＦＲＣ部１０を迂回させるための経路を設け、第一の画像信号を例えば放送を受信して得られたテレビジョン画像信号、第二の画像信号を例えばＯＳＤなどのキャラクタ信号とし、両者の画像信号を合成（重畳）して表示するときに、キャラクタ信号が重畳された入力画像信号を迂回経路側へ入力し、該入力画像信号を経路上のメモリに蓄積し、メモリから同一フレームの画像信号を複数回高速で繰り返し読み出して、フレームレート変換するものである。すなわち、キャラクタ信号が重畳された画像信号が入力された場合には、動き補償型のフレームレート変換を行わず、入力画像信号を高速連続出力することによりフレームレート変換して、液晶表示パネル１９へ表示出力するように切り替えるものである。
【０１２６】
図１０は、本発明の第７の実施形態に係る液晶表示装置の要部構成例を示すブロック図で、液晶表示装置は、ＦＲＣ部１０、合成部１３、ＯＳＤ処理部１４、制御部１５、切替部１６、電極駆動部１８、液晶表示パネル１９、さらに、ＦＲＣ部１０を迂回させるための経路２１と、経路２１上にメモリ２２とを備えて構成されている。切替部１６は、ＦＲＣ部１０の前段に設けられ、制御部１５からの指示に従って、入力画像信号をＦＲＣ部１０に入力するか、経路２１に入力するかを切り替える。なお、ＯＳＤ表示のＯＮ／ＯＦＦは、リモコン等を用いてユーザによりなされる指示操作に応じて制御される。
【０１２７】
制御部１５は、ＯＳＤ処理部１４によりテレビジョン画像信号にＯＳＤ信号が重畳された場合、切替部１６を経路２１側に切り替えて、ＦＲＣ部１０の処理を迂回させ、入力画像信号をメモリ２２に蓄積する。その後、メモリ２２から同一フレームを複数回繰り返し読み出してフレーム挿入処理を行う。また、テレビジョン画像信号にＯＳＤ信号が重畳されない場合、切替部１６をＦＲＣ部１０側に切り替えて、入力画像信号に対してＦＲＣ処理（動き補償フレーム内挿処理）を行う。尚、切替部１６をＦＲＣ部１０の後段に設けて、ＦＲＣ部１０の出力信号とメモリ２２の出力信号とを切り替えて、液晶表示パネル１９へ出力する構成としても良い。
【０１２８】
本実施形態では、液晶表示パネル１９の駆動周波数を変更させずに１２０Ｈｚのままとする。制御部１５及びメモリ２２は、ＯＳＤ信号が重畳された画像信号が入力された場合、入力画像信号のフレーム間に、その前或いは後フレームの画像信号を挿入することにより、該入力画像信号のフレーム数を変換する手段を構成する。すなわち、電極駆動部１８に入力される表示画像信号のフレームレート（フレーム数）は常に同一とされる。
【０１２９】
図１１は、本発明の第７の実施形態に係る入力データと出力データの関係を示す図である。図１１（Ａ）は、経路２１への入力データを示し、図１１（Ｂ）は、経路２１からの出力データを示す。図１１（Ａ）に示すように、６０Ｈｚのフレーム周波数で入力画像信号（入力データ）が経路２１に入力された場合、１フレーム当りの表示時間は約１６．７ｍｓとなる。上記入力データはメモリ２２に一旦蓄積され、図１１（Ｂ）に示すように、メモリ２２から２倍の速度で繰り返し読み出されたフレームの画像信号（図中、フレームＡ）が出力される。
【０１３０】
液晶表示パネル１９は、同一フレームの画像信号が挿入された出力データを駆動周波数１２０Ｈｚで表示する。なお、同一フレームの２回繰り返し読み出しによりフレーム数が変換されるため、このときの１フレーム当りの表示時間は約８．３ｍｓとなる。
【０１３１】
このように、ＯＳＤ信号が重畳された画像信号が入力された場合には、入力画像信号に対して動き補償による内挿処理を行わないようにすることにより、動画像と静止画像（ＯＳＤ）とが混在することによる動きベクトルの検出エラー、動き補正のエラー等をなくし、動き補償型のＦＲＣ処理に起因するＯＳＤ部分の画質劣化を効果的に防止することができる。さらに、この場合、同じフレームを繰り返し読み出してフレームレート変換するため、液晶表示パネル１９の駆動周波数を変更する必要がない。
【０１３２】
（第８の実施形態）
本発明の第８の実施形態は、ＦＲＣ部１０を迂回させるための経路を設け、第一の画像信号を例えば放送を受信して得られたテレビジョン画像信号、第二の画像信号を例えばＰｉｎＰなどの子画面画像信号とし、両者の画像信号を合成（重畳）して表示するときに、子画面画像信号が重畳された入力画像信号を迂回経路側へ入力し、該入力画像信号を経路上のメモリに蓄積し、メモリから同一フレームの画像信号を複数回高速で繰り返し読み出して、フレームレート変換するものである。すなわち、子画面画像信号が重畳された画像信号が入力された場合には、動き補償型のフレームレート変換を行わず、入力画像信号を高速連続出力することによりフレームレート変換して、液晶表示パネル１９へ表示出力するように切り替えるものである。
【０１３３】
図１２は、本発明の第８の実施形態に係る液晶表示装置の要部構成例を示すブロック図で、液晶表示装置は、ＦＲＣ部１０、合成部１３、子画面処理部２０、制御部１５、切替部１６、電極駆動部１８、液晶表示パネル１９、さらに、ＦＲＣ部１０を迂回させるための経路２１と、経路２１上にメモリ２２とを備えて構成されている。切替部１６は、ＦＲＣ部１０の前段に設けられ、制御部１５からの指示に従って、入力画像信号をＦＲＣ部１０に入力するか、経路２１に入力するかを切り替える。なお、子画面（ＰｉｎＰ）表示のＯＮ／ＯＦＦは、リモコン等を用いてユーザによりなされる指示操作に応じて制御される。
【０１３４】
制御部１５は、子画面処理部２０によりテレビジョン画像信号にＰｉｎＰ表示信号が重畳された場合、切替部１６を経路２１側に切り替えて、ＦＲＣ部１０の処理を迂回させ、入力画像信号をメモリ２２に蓄積する。その後、メモリ２２から同一フレームを複数回繰り返し読み出してフレーム挿入処理を行う。また、テレビジョン画像信号にＰｉｎＰ表示信号が重畳されない場合、切替部１６をＦＲＣ部１０側に切り替えて、入力画像信号に対してＦＲＣ処理（動き補償フレーム内挿処理）を行う。尚、切替部１６をＦＲＣ部１０の後段に設けて、ＦＲＣ部１０の出力信号とメモリ２２の出力信号とを切り替えて、液晶表示パネル１９へ出力する構成としても良い。
【０１３５】
本実施形態では、液晶表示パネル１９の駆動周波数を変更させずに１２０Ｈｚのままとする。制御部１５及びメモリ２２は、ＰｉｎＰ表示信号が重畳された画像信号が入力された場合、入力画像信号のフレーム間に、その前或いは後フレームの画像信号を挿入することにより、該入力画像信号のフレーム数を変換する手段を構成する。すなわち、電極駆動部１８に入力される表示画像信号のフレームレート（フレーム数）は常に同一とされる。
【０１３６】
このように、ＰｉｎＰ表示信号が重畳された画像信号が入力された場合には、入力画像信号に対して動き補償による内挿処理を行わないようにすることにより、異なる動き特性を持つ動画像が混在することによる動きベクトルの検出エラー、動き補正のエラー等をなくし、動き補償型のＦＲＣ処理に起因する子画面部分の画質劣化を効果的に防止することができる。さらに、この場合、同じフレームを繰り返し読み出してフレームレート変換するため、液晶表示パネル１９の駆動周波数を変更する必要がない。
【０１３７】
（第９の実施形態）
本発明の第９の実施形態は、ＦＲＣ部１０を迂回させるための経路を設け、第一の画像信号を例えば放送を受信して得られたテレビジョン画像信号、第二の画像信号を例えばＯＳＤなどのキャラクタ信号とし、両者の画像信号を合成（重畳）して表示するときに、キャラクタ信号が重畳された入力画像信号を経路側へ入力し、該入力画像信号を経路上の線形補間内挿処理部に入力し、線形補間を施した画像信号を内挿するものである。すなわち、キャラクタ信号が重畳された画像信号が入力された場合には、動き補償による内挿処理を行うのではなく、線形内挿処理を行うことで、フレームレート変換するように切り替えるものである。
【０１３８】
図１３は、本発明の第９の実施形態に係る液晶表示装置の要部構成例を示すブロック図で、液晶表示装置は、ＦＲＣ部１０、合成部１３、ＯＳＤ処理部１４、制御部１５、切替部１６、電極駆動部１８、液晶表示パネル１９、さらに、ＦＲＣ部１０を迂回させるための経路２１と、経路２１上に線形補間内挿処理部２３とを備えて構成されている。切替部１６は、ＦＲＣ部１０の前段に設けられ、制御部１５からの指示に従って、入力画像信号をＦＲＣ部１０に入力するか、経路２１に入力するかを切り替える。なお、ＯＳＤ表示のＯＮ／ＯＦＦは、リモコン等を用いてユーザによりなされる指示操作に応じて制御される。
【０１３９】
制御部１５は、ＯＳＤ処理部１４によりテレビジョン画像信号にＯＳＤ信号が重畳された場合、切替部１６を経路２１側に切り替えて、ＦＲＣ部１０を迂回させ、入力画像信号を線形補間内挿処理部２３に入力する。線形補間内挿処理部２３は、フレーム間において線形補間処理を施した内挿フレームを挿入する。また、テレビジョン画像信号にＯＳＤ信号が重畳されない場合、切替部１６をＦＲＣ部１０側に切り替えて、入力画像信号に対してＦＲＣ処理（動き補償フレーム内挿処理）を行う。尚、切替部１６をＦＲＣ部１０の後段に設けて、ＦＲＣ部１０の出力信号と線形補間内挿処理部２３の出力信号とを切り替えて、液晶表示パネル１９へ出力する構成としても良い。
【０１４０】
本実施形態では、液晶表示パネル１９の駆動周波数を変更させずに１２０Ｈｚのままとする。すなわち、電極駆動部１８に入力される表示画像信号のフレームレート（フレーム数）は常に同一とされる。線形補間内挿処理部２３は、ＯＳＤ信号が重畳された画像信号が入力された場合、入力画像信号のフレーム間に、線形補間処理を施した画像信号を内挿することにより、該入力画像信号のフレーム数を変換する手段を構成する。なお、線形補間処理とは、前述の非特許文献２に記載されているように、前フレームの信号と現フレームの信号からフレーム内挿比αによる線形補間により内挿フレームを得るものである。
【０１４１】
図１４は、本発明の第９の実施形態に係る入力データと出力データの関係を示す図である。図１４（Ａ）は、経路２１への入力データを示し、図１４（Ｂ）は、経路２１からの出力データを示す。図１４（Ａ）に示すように、６０Ｈｚのフレーム周波数で入力画像信号（入力データ）が経路２１に入力された場合、１フレーム当りの表示時間は約１６．７ｍｓとなる。上記入力データは線形補間内挿処理部２３に入力され、図１４（Ｂ）に示すように、フレーム間（ここではフレームＡ、フレームＢ間）において線形補間処理が施された画像信号（図中、フレームＡ＋Ｂ）が内挿されて出力される。
【０１４２】
液晶表示パネル１９は、線形補間処理を施した画像信号が内挿された出力データを駆動周波数１２０Ｈｚで表示する。なお、線形補間処理を施した画像信号の内挿によりフレーム数が変換されるため、このときの１フレーム当りの表示時間は約８．３ｍｓとなる。
【０１４３】
このように、ＯＳＤ信号が重畳された画像信号が入力された場合には、入力画像信号に対して動き補償による内挿処理を行わないようにすることにより、動画像と静止画像（ＯＳＤ）とが混在することによる動きベクトルの検出エラー、動き補正のエラー等をなくし、動き補償型のＦＲＣ処理に起因するＯＳＤ部分の画質劣化を効果的に防止することができる。さらに、この場合、線形補間処理を施した画像信号を内挿して、フレームレート変換するため、液晶表示パネル１９の駆動周波数を変更する必要がない。
【０１４４】
（第１０の実施形態）
本発明の第１０の実施形態は、ＦＲＣ部１０を迂回させるための経路を設け、第一の画像信号を例えば放送を受信して得られたテレビジョン画像信号、第二の画像信号を例えばＰｉｎＰなどの子画面画像信号とし、両者の画像信号を合成（重畳）して表示するときに、子画面画像信号が重畳された入力画像信号を経路側へ入力し、該入力画像信号を経路上の線形補間内挿処理部に入力し、線形補間を施した画像信号を内挿するものである。すなわち、子画面画像信号が重畳された画像信号が入力された場合には、動き補償による内挿処理を行うのではなく、線形内挿処理を行うことで、フレームレート変換するように切り替えるものである。
【０１４５】
図１５は、本発明の第１０の実施形態に係る液晶表示装置の要部構成例を示すブロック図で、液晶表示装置は、ＦＲＣ部１０、合成部１３、子画面処理部２０、制御部１５、切替部１６、電極駆動部１８、液晶表示パネル１９、さらに、ＦＲＣ部１０を迂回させるための経路２１と、経路２１上に線形補間内挿処理部２３とを備えて構成されている。切替部１６は、ＦＲＣ部１０の前段に設けられ、制御部１５からの指示に従って、入力画像信号をＦＲＣ部１０に入力するか、経路２１に入力するかを切り替える。なお、子画面（ＰｉｎＰ）表示のＯＮ／ＯＦＦは、リモコン等を用いてユーザによりなされる指示操作に応じて制御される。
【０１４６】
制御部１５は、子画面処理部２０によりテレビジョン画像信号にＰｉｎＰ表示信号が重畳された場合、切替部１６を経路２１側に切り替えて、ＦＲＣ部１０を迂回させ、入力画像信号を線形補間内挿処理部２３に入力する。線形補間内挿処理部２３は、フレーム間において線形補間処理を施した内挿フレームを挿入する。また、テレビジョン画像信号にＰｉｎＰ表示信号が重畳されない場合、切替部１６をＦＲＣ部１０側に切り替えて、入力画像信号に対してＦＲＣ処理（動き補償フレーム内挿処理）を行う。尚、切替部１６をＦＲＣ部１０の後段に設けて、ＦＲＣ部１０の出力信号と線形補間内挿処理部２３の出力信号とを切り替えて、液晶表示パネル１９へ出力する構成としても良い。
【０１４７】
本実施形態では、液晶表示パネル１９の駆動周波数を変更させずに１２０Ｈｚのままとする。すなわち、電極駆動部１８に入力される表示画像信号のフレームレート（フレーム数）は常に同一とされる。線形補間内挿処理部２３は、ＰｉｎＰ表示信号が重畳された画像信号が入力された場合、入力画像信号のフレーム間に、線形補間処理を施した画像信号を内挿することにより、該入力画像信号のフレーム数を変換する手段を構成する。なお、線形補間処理とは、前述の非特許文献２に記載されているように、前フレームの信号と現フレームの信号からフレーム内挿比αによる線形補間により内挿フレームを得るものである。
【０１４８】
このように、ＰｉｎＰ表示信号が重畳された画像信号が入力された場合には、入力画像信号に対して動き補償による内挿処理を行わないようにすることにより、異なる動き特性を持つ動画像が混在することによる動きベクトルの検出エラー、動き補正のエラー等をなくし、動き補償型のＦＲＣ処理に起因する子画面部分の画質劣化を効果的に防止することができる。さらに、この場合、線形補間処理を施した画像信号を内挿して、フレームレート変換するため、液晶表示パネル１９の駆動周波数を変更する必要がない。
【０１４９】
（第１１の実施形態）
本発明の第１１の実施形態は、ＦＲＣ部１０を迂回させるための経路を設け、第一の画像信号を例えば放送を受信して得られたテレビジョン画像信号、第二の画像信号を例えばＯＳＤなどのキャラクタ信号とし、両者の画像信号を合成（重畳）して表示するときに、キャラクタ信号が重畳された入力画像信号を経路側へ入力し、該入力画像信号を経路上の黒レベル信号挿入処理部に入力し、黒レベル信号などの予め決められた単色画像信号を挿入するものである。すなわち、キャラクタ信号が重畳された画像信号が入力された場合には、動き補償による内挿処理を行うのではなく、単色画像挿入処理を行うことで、フレームレート変換するように切り替えるものである。
【０１５０】
図１６は、本発明の第１１の実施形態に係る液晶表示装置の要部構成例を示すブロック図で、液晶表示装置は、ＦＲＣ部１０、合成部１３、ＯＳＤ処理部１４、制御部１５、切替部１６、電極駆動部１８、液晶表示パネル１９、さらに、ＦＲＣ部１０を迂回させるための経路２１と、経路２１上に黒レベル信号挿入処理部２４とを備えて構成されている。切替部１６は、ＦＲＣ部１０の前段に設けられ、制御部１５からの指示に従って、入力画像信号をＦＲＣ部１０に入力するか、経路２１に入力するかを切り替える。なお、ＯＳＤ表示のＯＮ／ＯＦＦは、リモコン等を用いてユーザによりなされる指示操作に応じて制御される。
【０１５１】
制御部１５は、ＯＳＤ処理部１４によりテレビジョン画像信号にＯＳＤ信号が重畳された場合、切替部１６を経路２１側に切り替えて、ＦＲＣ部１０を迂回させ、入力画像信号を黒レベル信号挿入処理部２４に入力する。黒レベル信号挿入処理部２４は、例えば、メモリを用いて入力画像信号を時間軸圧縮（フレームレート変換）し、入力フレーム間に黒レベル信号などの予め決められた単色画像信号を挿入する。また、テレビジョン画像信号にＯＳＤ信号が重畳されない場合、切替部１６をＦＲＣ部１０側に切り替えて、入力画像信号に対してＦＲＣ処理（動き補償フレーム内挿処理）を行う。尚、切替部１６をＦＲＣ部１０の後段に設けて、ＦＲＣ部１０の出力信号と黒レベル信号挿入処理部２４の出力信号とを切り替えて、液晶表示パネル１９へ出力する構成としても良い。
【０１５２】
本実施形態では、液晶表示パネル１９の駆動周波数を変更させずに１２０Ｈｚのままとする。すなわち、電極駆動部１８に入力される表示画像信号のフレームレート（フレーム数）は常に同一とされる。黒レベル信号挿入処理部２４は、ＯＳＤ信号が重畳された画像信号が入力された場合、入力画像信号のフレーム間に、黒レベル信号などの予め決められた単色画像信号を挿入することにより、該入力画像信号のフレーム数を変換する手段を構成する。また、黒レベル信号挿入処理の別の実施形態として、電極駆動部１８により、所定期間（本例の場合、１／１２０秒）黒書き込み電圧を液晶表示パネル１９に印加するように構成してもよい。
【０１５３】
図１７は、本発明の第１１の実施形態に係る入力データと出力データの関係を示す図である。図１７（Ａ）は、経路２１への入力データを示し、図１７（Ｂ）は、経路２１からの出力データを示す。図１７（Ａ）に示すように、６０Ｈｚのフレーム周波数で入力画像信号（入力データ）が経路２１に入力された場合、１フレーム当りの表示時間は約１６．７ｍｓとなる。上記入力データは黒レベル信号挿入処理部２４に入力され、図１７（Ｂ）に示すように、フレーム間（ここではフレームＡ、フレームＢ間）において黒レベル信号（図中、黒に色付けされたフレーム）が挿入されて出力される。
このように入力画像信号の各フレーム間に黒画像信号を挿入することで、動きぼけによる画質劣化が改善され、さらにＯＳＤ部分の画質劣化も発生しないが、この場合、画像表示期間の短縮による表示輝度の低下を補償するために、液晶表示パネル１９の背面に設けられるバックライト（図示せず）の発光輝度を上げる必要がある。
【０１５４】
液晶表示パネル１９は、黒レベル信号が挿入された出力データを駆動周波数１２０Ｈｚで表示する。なお、黒レベル信号の挿入によりフレーム数が変換されるため、このときの１フレーム当りの表示時間は約８．３ｍｓとなる。
【０１５５】
このように、ＯＳＤ信号が重畳された画像信号が入力された場合には、入力画像信号に対して動き補償による内挿処理を行わないようにすることにより、動画像と静止画像（ＯＳＤ）とが混在することによる動きベクトルの検出エラー、動き補正のエラー等をなくし、動き補償型のＦＲＣ処理に起因するＯＳＤ部分の画質劣化を効果的に防止することができる。さらに、この場合、単色画像信号を挿入して、フレームレート変換するため、液晶表示パネル１９の駆動周波数を変更する必要がない。そしてまた、この場合、動画質改善効果も維持することが可能となる。
【０１５６】
尚、上記実施形態の他にも、ＯＳＤ信号が重畳された画像信号が入力された場合には、入力フレームの原画像を所定の輝度比で複数のフレーム画像に分割して、フレームレート変換することにより、動き補償型のＦＲＣ処理に起因する画質劣化を防止しつつ、動画質改善効果を維持するようにしてもよい。
また、上記実施形態においては、ＦＲＣ部１０の処理を迂回させて、ＲＧＢ信号のまま電極駆動部１８に入力されるため、ＲＧＢで生成されたＯＳＤ信号をＹＰｂＰｒに変換する処理に起因してＯＳＤ部分がにじんだ状態で表示されてしまうことを防止することができる。
【０１５７】
（第１２の実施形態）
本発明の第１２の実施形態は、ＦＲＣ部１０を迂回させるための経路を設け、第一の画像信号を例えば放送を受信して得られたテレビジョン画像信号、第二の画像信号を例えばＰｉｎＰなどの子画面画像信号とし、両者の画像信号を合成（重畳）して表示するときに、子画面画像信号が重畳された入力画像信号を経路側へ入力し、該入力画像信号を経路上の黒レベル信号挿入処理部に入力し、黒レベル信号などの予め決められた単色画像信号を挿入するものである。すなわち、子画面画像信号が重畳された画像信号が入力された場合には、動き補償による内挿処理を行うのではなく、単色画像挿入処理を行うことで、フレームレート変換するように切り替えるものである。
【０１５８】
図１８は、本発明の第１２の実施形態に係る液晶表示装置の要部構成例を示すブロック図で、液晶表示装置は、ＦＲＣ部１０、合成部１３、子画面処理部２０、制御部１５、切替部１６、電極駆動部１８、液晶表示パネル１９、さらに、ＦＲＣ部１０を迂回させるための経路２１と、経路２１上に黒レベル信号挿入処理部２４とを備えて構成されている。切替部１６は、ＦＲＣ部１０の前段に設けられ、制御部１５からの指示に従って、入力画像信号をＦＲＣ部１０に入力するか、経路２１に入力するかを切り替える。なお、子画面（ＰｉｎＰ）表示のＯＮ／ＯＦＦは、リモコン等を用いてユーザによりなされる指示操作に応じて制御される。
【０１５９】
制御部１５は、子画面処理部２０によりテレビジョン画像信号にＰｉｎＰ表示信号が重畳された場合、切替部１６を経路２１側に切り替えて、ＦＲＣ部１０を迂回させ、入力画像信号を黒レベル信号挿入処理部２４に入力する。黒レベル信号挿入処理部２４は、例えば、メモリを用いて入力画像信号を時間軸圧縮（フレームレート変換）し、入力フレーム間に黒レベル信号などの予め決められた単色画像信号を挿入する。また、テレビジョン画像信号にＰｉｎＰ信号が重畳されない場合、切替部１６をＦＲＣ部１０側に切り替えて、入力画像信号に対してＦＲＣ処理（動き補償フレーム内挿処理）を行う。尚、切替部１６をＦＲＣ部１０の後段に設けて、ＦＲＣ部１０の出力信号と黒レベル信号挿入処理部２４の出力信号とを切り替えて、液晶表示パネル１９へ出力する構成としても良い。
【０１６０】
本実施形態では、液晶表示パネル１９の駆動周波数を変更させずに１２０Ｈｚのままとする。すなわち、電極駆動部１８に入力される表示画像信号のフレームレート（フレーム数）は常に同一とされる。黒レベル信号挿入処理部２４は、ＰｉｎＰ表示信号が重畳された画像信号が入力された場合、入力画像信号のフレーム間に、黒レベル信号などの予め決められた単色画像信号を挿入することにより、該入力画像信号のフレーム数を変換する手段を構成する。また、黒レベル信号挿入処理の別の実施形態として、電極駆動部１８により、所定期間（本例の場合、１／１２０秒）黒書き込み電圧を液晶表示パネル１９に印加するように構成してもよい。
【０１６１】
このように、ＰｉｎＰ信号が重畳された画像信号が入力された場合には、入力画像信号に対して動き補償による内挿処理を行わないようにすることにより、異なる動き特性を持つ動画像が混在することによる動きベクトルの検出エラー、動き補正のエラー等をなくし、動き補償型のＦＲＣ処理に起因する子画面部分の画質劣化を効果的に防止することができる。さらに、この場合、単色画像信号を挿入して、フレームレート変換するため、液晶表示パネル１９の駆動周波数を変更する必要がない。そしてまた、この場合、動画質改善効果も維持することが可能となる。
【０１６２】
尚、上記実施形態の他にも、ＰｉｎＰ信号が重畳された画像信号が入力された場合には、入力フレームの原画像を所定の輝度比で複数のフレーム画像に分割して、フレームレート変換することにより、動き補償型のＦＲＣ処理に起因する画質劣化を防止しつつ、動画質改善効果を維持するようにしてもよい。
【０１６３】
（第１３の実施形態）
本発明の第１３の実施形態は、第一の画像信号を例えば放送を受信して得られたテレビジョン画像信号、第二の画像信号を例えばＯＳＤなどのキャラクタ信号とし、両者の画像信号を合成（重畳）して表示するときに、内挿フレーム生成部における動き補正処理の補正強度を可変するように構成される。具体的には、動き補正処理を施した画像信号と、線形補間処理を施した画像信号とを所定の比率で加重加算することにより、内挿フレームを生成する内挿フレーム生成部を備え、ＯＳＤ表示するときに、加重加算比率を可変する。
【０１６４】
図１９は、本発明の第１３の実施形態に係るＦＲＣ部１０の要部構成例を示すブロック図で、ＦＲＣ部１０のフレーム生成部１２は、内挿用フレームメモリ１２ａ、内挿フレーム生成部１２ｂ、さらに、ＦＲＣ部１０における動き補正処理の補正強度を可変する補正強度可変部１２ｅ、を備えて構成される。なお、ＯＳＤ表示のＯＮ／ＯＦＦは、リモコン等を用いてユーザによりなされる指示操作に応じて制御される。図中、Ｖは内挿ベクトル、αはフレーム内挿比、βは補正強度（加重加算比率）を示す。
【０１６５】
一般に、フレーム内挿処理の方法として、例えば、２フレーム間の線形補間内挿によるフレーム内挿と、動きベクトルを用いたフレーム内挿（動き補正内挿）が知られている。前者は、前フレームの信号と現フレームの信号からフレーム内挿比αによる線形補間により内挿フレームを得るものである。従って、この線形補間内挿を用いれば、ＦＲＣ処理の動きにＯＳＤ部分が引っ張られることによるＯＳＤ部分の画質劣化を防止できる。
【０１６６】
一方、後者は、前フレームと現フレームから内挿フレームを得るために、前フレームの画像と現フレームの画像間の動きベクトルから内挿ベクトルＶを検出し、その値（内挿ベクトルＶ）をフレーム内挿比αで分割したαＶの大きさだけ前フレームの画像をずらした信号と、現フレームの画像を（α―１）Ｖだけずらした信号との加重加算により内挿フレームを得る。この動き補正内挿を用いれば、動画像そのものをとらえて補正するため、解像度の劣化がなく、良好な画質を得ることができるが、この処理に起因してＯＳＤ部分が引っ張られてＯＳＤ部分の画質が劣化してしまうことがある。
【０１６７】
そこで、本実施形態では、フレーム生成部１２に補正強度可変部１２ｅを設けている。この補正強度可変部１２ｅは、ＯＳＤ処理部１４によりテレビジョン画像信号にＯＳＤ信号が重畳された場合、加重加算比率βを可変する。この加重加算比率βは、動き補正処理を施した画像信号と、線形補間処理を施した画像信号とを加重加算する際の比率である。本実施形態の内挿フレーム生成部１２ｂは、この加重加算比率βに従って、線形補間内挿と動き補正内挿を加重加算して内挿フレームを生成する。
【０１６８】
例えば、補正強度可変部１２ｅは、テレビジョン画像信号にＯＳＤ信号が重畳された場合、加重加算比率β＝０とし、線形補間処理を施した画像信号を内挿フレームにしてＯＳＤ部分の画質劣化を防止する。一方、テレビジョン画像信号にＯＳＤ信号が重畳されない場合、加重加算比率β＝１とし、動き補正処理を施した画像信号を内挿フレームにして動画像の画質をより良好にする。
【０１６９】
また、加重加算比率βは任意に可変設定できるため、０〜１の略中間の値に設定するようにしてもよい。これにより、内挿フレーム画像において動き補正も行いつつ、ＯＳＤ部分の画質も劣化させないように制御することができ、動きぼけによる画質劣化と、ＯＳＤ表示の画質劣化との双方を適切に改善することが可能となる。
【０１７０】
このようにして、ＯＳＤ信号が重畳された画像信号が入力された場合には、ＦＲＣにおける動き補正処理の補正強度を可変できる（弱くすることができる）ため、動画像と静止画像（ＯＳＤ）とが混在することによる動きベクトルの検出エラー、動き補正のエラー等の影響を低減し、動き補償型のＦＲＣ処理に起因するＯＳＤ部分の画質劣化を効果的に抑制することができる。
【０１７１】
（第１４の実施形態）
本発明の第１４の実施形態は、第一の画像信号を例えば放送を受信して得られたテレビジョン画像信号、第二の画像信号を例えばＰｉｎＰなどの子画面画像信号とし、両者の画像信号を合成（重畳）して表示するときに、内挿フレーム生成部における動き補正処理の補正強度を可変するように構成される。具体的には、動き補正処理を施した画像信号と、線形補間処理を施した画像信号とを所定の比率で加重加算することにより、内挿フレームを生成する内挿フレーム生成部を備え、子画面表示するときに、加重加算比率を可変する。
【０１７２】
本発明の第１４の実施形態に係るＦＲＣ部１０の要部構成は、前述の図１９に示した構成と同様である。すなわち、ＦＲＣ部１０のフレーム生成部１２は、内挿用フレームメモリ１２ａ、内挿フレーム生成部１２ｂ、さらに、ＦＲＣ部１０における動き補正処理の補正強度を可変する補正強度可変部１２ｅ、を備えて構成される。なお、子画面（ＰｉｎＰ）表示のＯＮ／ＯＦＦは、リモコン等を用いてユーザによりなされる指示操作に応じて制御される。
【０１７３】
一般に、フレーム内挿処理の方法として、例えば、２フレーム間の線形補間内挿によるフレーム内挿と、動きベクトルを用いたフレーム内挿（動き補正内挿）が知られている。前者は、前フレームの信号と現フレームの信号からフレーム内挿比αによる線形補間により内挿フレームを得るものである。従って、この線形補間内挿を用いれば、ＦＲＣ処理の動きに子画面部分が引っ張られることによる子画面部分の画質劣化を防止できる。
【０１７４】
一方、後者は、前フレームと現フレームから内挿フレームを得るために、前フレームの画像と現フレームの画像間の動きベクトルから内挿ベクトルＶを検出し、その値（内挿ベクトルＶ）をフレーム内挿比αで分割したαＶの大きさだけ前フレームの画像をずらした信号と、現フレームの画像を（α―１）Ｖだけずらした信号との加重加算により内挿フレームを得る。この動き補正内挿を用いれば、動画像そのものをとらえて補正するため、解像度の劣化がなく、良好な画質を得ることができるが、この処理に起因して子画面部分が引っ張られて子画面部分の画質が劣化してしまうことがある。
【０１７５】
そこで、本実施形態では、フレーム生成部１２に補正強度可変部１２ｅを設けている。この補正強度可変部１２ｅは、子画面処理部２０によりテレビジョン画像信号にＰｉｎＰ表示信号が重畳された場合、加重加算比率βを可変する。この加重加算比率βは、動き補正処理を施した画像信号と、線形補間処理を施した画像信号とを加重加算する際の比率である。本実施形態の内挿フレーム生成部１２ｂは、この加重加算比率βに従って、線形補間内挿と動き補正内挿を加重加算して内挿フレームを生成する。
【０１７６】
例えば、補正強度可変部１２ｅは、テレビジョン画像信号にＰｉｎＰ表示信号が重畳された場合、加重加算比率β＝０とし、線形補間処理を施した画像信号を内挿フレームにして子画面部分の画質劣化を防止する。一方、テレビジョン画像信号にＰｉｎＰ表示信号が重畳されない場合、加重加算比率β＝１とし、動き補正処理を施した画像信号を内挿フレームにして動画像の画質をより良好にする。
【０１７７】
また、加重加算比率βは任意に可変設定できるため、０〜１の略中間の値に設定するようにしてもよい。これにより、内挿フレーム画像において動き補正も行いつつ、子画面部分の画質も劣化させないように制御することができ、動きぼけによる画質劣化と、子画面表示の画質劣化との双方を適切に改善することが可能となる。
【０１７８】
このようにして、ＰｉｎＰ表示信号が重畳された画像信号が入力された場合には、ＦＲＣにおける動き補正処理の補正強度を可変できる（弱くすることができる）ため、異なる動き特性を持つ動画像が混在することによる動きベクトルの検出エラー、動き補正のエラー等の影響を低減し、動き補償型のＦＲＣ処理に起因する子画面部分の画質劣化を効果的に抑制することができる。
【０１７９】
図２０は、本発明の画像表示装置による画像表示方法の一例を説明するためのフロー図である。ここでは、前述の第１の実施形態及び第３の実施形態における画像表示方法の例について説明する。まず、画像表示装置は、テレビジョン画像信号にＯＳＤ信号が重畳されたかどうか（所定のユーザ指示を受けたか否か）を判定し（ステップＳ１）、ＯＳＤ信号が重畳されたと判定された場合（ＹＥＳの場合）、動きベクトルあるいは内挿ベクトルを０ベクトルにすることにより、ＦＲＣ部１０の動き補正処理を無効化する（ステップＳ２）。また、ステップＳ１において、ＯＳＤ信号が重畳されていないと判定された場合（ＮＯの場合）、ＦＲＣ部１０の動き補正処理を通常通りに実行する（ステップＳ３）。このようにしてフレーム周波数が変換された画像信号を、液晶表示パネル１９から表示出力する（ステップＳ４）。
【０１８０】
図２１は、本発明の画像表示装置による画像表示方法の他の例を説明するためのフロー図である。ここでは、前述の第２の実施形態及び第４の実施形態における画像表示方法の例について説明する。まず、画像表示装置は、テレビジョン画像信号にＰｉｎＰ表示信号が重畳されたかどうか（所定のユーザ指示を受けたか否か）を判定し（ステップＳ１１）、ＰｉｎＰ表示信号が重畳されたと判定された場合（ＹＥＳの場合）、動きベクトルあるいは内挿ベクトルを０ベクトルにすることにより、ＦＲＣ部１０の動き補正処理を無効化する（ステップＳ１２）。また、ステップＳ１１において、ＰｉｎＰ表示信号が重畳されていないと判定された場合（ＮＯの場合）、ＦＲＣ部１０の動き補正処理を通常通りに実行する（ステップＳ１３）。このようにしてフレーム周波数が変換された画像信号を、液晶表示パネル１９から表示出力する（ステップＳ１４）。
【０１８１】
図２２は、本発明の画像表示装置による画像表示方法の他の例を説明するためのフロー図である。ここでは、前述の第５、第７、第９及び第１１の実施形態における画像表示方法の例について説明する。まず、画像表示装置は、テレビジョン画像信号にＯＳＤ信号が重畳されたかどうか（所定のユーザ指示を受けたか否か）を判定し（ステップＳ２１）、ＯＳＤ信号が重畳されたと判定された場合（ＹＥＳの場合）、ＦＲＣ部１０の動き補償フレーム内挿処理を迂回させて、入力画像信号を別の経路２１に入力する（ステップＳ２２）。ここで、迂回させた経路２１において、線形補間処理を施した画像信号のフレーム間内挿、同一フレームの画像信号のフレーム間挿入、黒レベル信号などの予め決められた単色画像信号のフレーム間挿入のいずれかの処理を施してフレームレート変換を行った画像信号を出力するか、或いは、そのまま入力画像信号を出力して、液晶表示パネル１９の駆動周波数の変更するなどの処理を行う。
【０１８２】
また、ステップＳ２１において、ＯＳＤ信号が重畳されていないと判定された場合（ＮＯの場合）、ＦＲＣ部１０にて動き補償による内挿処理を施した画像信号を出力する（ステップＳ２３）。最後に、画像を液晶表示パネル１９から表示出力する（ステップＳ２４）。
【０１８３】
図２３は、本発明の画像表示装置による画像表示方法の他の例を説明するためのフロー図である。ここでは、前述の第６、第８、第１０及び第１２の実施形態における画像表示方法の例について説明する。まず、画像表示装置は、テレビジョン画像信号にＰｉｎＰ表示信号が重畳されたかどうか（所定のユーザ指示を受けたか否か）を判定し（ステップＳ３１）、ＰｉｎＰ表示信号が重畳されたと判定された場合（ＹＥＳの場合）、ＦＲＣ部１０の動き補償フレーム内挿処理を迂回させて、入力画像信号を別の経路２１に入力する（ステップＳ３２）。ここで、迂回させた経路２１において、線形補間処理を施した画像信号のフレーム間内挿、同一フレームの画像信号のフレーム間挿入、黒レベル信号などの予め決められた単色画像信号のフレーム間挿入のいずれかの処理を施してフレームレート変換を行った画像信号を出力するか、或いは、そのまま入力画像信号を出力して、液晶表示パネル１９の駆動周波数の変更するなどの処理を行う。
【０１８４】
また、ステップＳ３１において、ＰｉｎＰ表示信号が重畳されていないと判定された場合（ＮＯの場合）、ＦＲＣ部１０にて動き補償による内挿処理を施した画像信号を出力する（ステップＳ３３）。最後に、画像を液晶表示パネル１９から表示出力する（ステップＳ３４）。
【０１８５】
図２４は、本発明の画像表示装置による画像表示方法の他の例を説明するためのフロー図である。ここでは、前述の第１３の実施形態における画像表示方法の例について説明する。まず、画像表示装置は、テレビジョン画像信号にＯＳＤ信号が重畳されたかどうか（所定のユーザ指示を受けたか否か）を判定し（ステップＳ４１）、ＯＳＤ信号が重畳されたと判定された場合（ＹＥＳの場合）、ＦＲＣ部１０における動き補正処理の補正強度を可変（弱く）する（ステップＳ４２）。また、ステップＳ４１において、ＯＳＤ信号が重畳されていないと判定された場合（ＮＯの場合）、ＦＲＣ部１０における動き補正処理の補正強度を通常通り強くする（ステップＳ４３）。このようにしてフレーム周波数が変換された画像信号を、液晶表示パネル１９から表示出力する（ステップＳ４４）。
【０１８６】
図２５は、本発明の画像表示装置による画像表示方法の他の例を説明するためのフロー図である。ここでは、前述の第１４の実施形態における画像表示方法の例について説明する。まず、画像表示装置は、テレビジョン画像信号にＰｉｎＰ表示信号が重畳されたかどうか（所定のユーザ指示を受けたか否か）を判定し（ステップＳ５１）、ＰｉｎＰ表示信号が重畳されたと判定された場合（ＹＥＳの場合）、ＦＲＣ部１０における動き補正処理の補正強度を可変（弱く）する（ステップＳ５２）。また、ステップＳ５１において、ＰｉｎＰ表示信号が重畳されていないと判定された場合（ＮＯの場合）、ＦＲＣ部１０における動き補正処理の補正強度を通常通り強くする（ステップＳ５３）。このようにしてフレーム周波数が変換された画像信号を、液晶表示パネル１９から表示出力する（ステップＳ５４）。
【０１８７】
以上説明した各実施形態によれば、第一の画像信号と該第一の画像信号とは異なる動き特性を持つ第二の画像信号とを合成させて表示するときに、フレームレート変換（ＦＲＣ）部における動き補正処理を無効化して表示出力することができるため、動き補償による内挿処理に起因する第一及び第二の画像信号の表示部分の画質劣化を効果的に防止することができる。
【０１８８】
図２６は、複数の画像合成表示例を説明するための図である。上述の各実施形態においては、第一の画像信号３１の内に第二の画像信号（キャラクタ信号）３２を合成（重畳）して表示する場合（図２６（Ａ）参照）、第一の画像信号３３の内に第二の画像信号（子画面画像信号）３４を合成（重畳）して表示する場合（図２６（Ｂ）参照）を例にあげて説明したが、これに限らず、本発明は、異なる動きを有する少なくとも２以上の画像信号を合成して表示する場合に適用することができるのは明らかである。
【０１８９】
例えば、図２６（Ｃ）に示すように、第一の画像信号３５の外に第二の画像信号３６を合成表示する場合においても、本発明を適用することが可能である。この場合、前記第一の画像信号３５は例えば放送を受信して得られるテレビジョン画像信号、前記第二の画像信号３６は例えばデータ放送を受信して得られるデータ情報表示信号や、前記テレビジョン画像信号に付加情報として多重された番組情報に基づいて表示装置内部で生成される番組情報表示信号とすることができる。
【０１９０】
また、図２６（Ｄ）に示すように、第一の画像信号３７と第二の画像信号３８とを左右等に並べて合成表示する場合においても、本発明を適用することが可能である。この場合、前記第一の画像信号３７は例えば放送を受信して得られるテレビジョン画像信号、前記第二の画像信号３８は例えばＰｏｕｔＰ（Ｐｉｃｔｕｒｅ  ｏｕｔ  Ｐｉｃｔｕｒｅ）表示信号とすることができる。ＰｏｕｔＰ表示信号は、上述のＰｉｎＰ表示信号と同様、文字や、数字、記号、画像などのキャラクタ信号や、静止画像、動画像などの画像信号であればよく、表示装置内部で発生されるものに限定されず、外部より入力されるものであってもよい。
【０１９１】
さらに、図２６（Ｅ）に示すように、第一の画像信号３９と第二の画像信号４０とを一部重ね合わせて合成表示する場合においても、本発明を適用することが可能である。この場合も、前記第一の画像信号３９は例えば放送を受信して得られるテレビジョン画像信号、前記第二の画像信号４０は例えば表示装置内部で発生されるＰｏｕｔＰ表示信号や、外部より入力されるＰｏｕｔＰ表示信号とすることができる。
【０１９２】
そしてまた、第一の画像信号としては、上述したようなテレビジョン画像信号に限らず、外部メディアから再生された画像信号などであってもよいことは言うまでもない。
【０１９３】
次に、本発明の画像表示装置のさらに他の実施形態について説明する。本画像表示装置は、前述の図１に示したＦＲＣ部１０を備え、第一の画像信号（例えば動画像信号）と該第一の画像信号とは動き特性が異なる第二の画像信号（例えばＯＳＤなどの静止キャラクタ信号）とを合成して表示するときに、第二の画像信号が合成されている画素あるいは該画素を含む領域に対してだけ、ＦＲＣ部１０における動き補正処理を無効化して、ＦＲＣ処理に起因する第二の画像信号の表示部分（例えばキャラクタ表示部分）の画質劣化を防止することを主たる目的とする。なお、本発明は、液晶ディスプレイ、有機ＥＬディスプレイ、電気泳動ディスプレイなどのホールド型の表示特性を有する画像表示装置全般に適用可能であるが、以下の各実施形態においては、表示パネルとして液晶表示パネルを用いた液晶表示装置に本発明を適用した場合を代表例として説明する。
【０１９４】
（第１５の実施形態）
本発明の第１５の実施形態は、第一の画像信号を例えば放送を受信して得られたテレビジョン画像信号、第二の画像信号を例えば装置内部で発生したＯＳＤ（Ｏｎ  Ｓｃｒｅｅｎ  Ｄｉｓｐｌａｙ）などのキャラクタ信号とし、両者の画像信号を合成して表示するときに、キャラクタ信号が合成（重畳）された画素あるいは該画素を含む領域に対して、ＦＲＣ部１０における動き補正処理を無効化するために、キャラクタ信号が合成（重畳）されている内挿ブロックの内挿ベクトルを０とし、その部分だけ異なる位置の画素間での内挿が生じないようにするものである。
【０１９５】
図２７は、本発明の第１５の実施形態に係る液晶表示装置の要部構成例を示すブロック図で、液晶表示装置は、ＦＲＣ部１０、合成部１３、ＯＳＤ処理部１４、制御部１５、電極駆動部１８、及び液晶表示パネル１９を備えて構成されている。ＦＲＣ部１０は、動きベクトル検出部１１ｅ、内挿ベクトル評価部１１ｆ、内挿フレーム生成部１２ｂ、タイムベース変換部１２ｄを備え、さらに、内挿ベクトル評価部１１ｆにより割り付けられた内挿ベクトルを内挿ベクトル毎に蓄積する内挿ベクトルメモリ１２ｆを備える。
【０１９６】
ＯＳＤ処理部１４は、所定の文字や、数字、記号などをオンスクリーン表示するためのオンスクリーン表示信号（ＯＳＤ信号）を生成する。このＯＳＤ表示のＯＮ／ＯＦＦは、リモコン等を用いてユーザによりなされる指示操作に応じて制御される。合成部１３は、ＯＳＤ処理部１４からのＯＳＤ信号をテレビジョン画像信号に合成（重畳）する。
【０１９７】
前述したように、液晶表示パネル１９は、液晶層と該液晶層に走査信号及びデータ信号を印加するための電極とを有するアクティブマトリクス型の液晶ディスプレイである。電極駆動部１８は、ＦＲＣ部１０によりフレームレート変換された画像信号に基づいて液晶表示パネル１９の走査電極及びデータ電極を駆動するための表示ドライバである。制御部１５は、上記各部を制御するためのＣＰＵを備え、ユーザの指示等に応じてＯＳＤ処理部１４によりテレビジョン画像信号にＯＳＤ信号が重畳された場合、ＯＳＤ信号が重畳されている画素あるいは該画素を含む領域に対しては、ＦＲＣ部１０における動き補正処理を無効化するように制御する。
【０１９８】
ここで、テレビジョン画像信号に重畳させる信号は、文字や、数字、記号、画像などの静止状態にあるキャラクタ信号であればよく、上記の装置内部で発生されるＯＳＤ信号に限定されず、文字放送／テレテキスト放送などにより送信・受信された文字（字幕）信号であってもよい。また、放送局などの送信側で予めテレビジョン画像信号に合成された番組ロゴやテロップなどの文字情報信号であってもよい。この場合、文字情報信号が合成されている位置を検出し、この文字情報信号が合成されている画素あるいは該画素を含む領域に対して、ＦＲＣ部１０における動き補正処理を無効化するようにすればよい。但し、文字がスクロール等されて動きを伴う場合には、ＦＲＣ部１０の動き補正処理を実行したほうが好ましい。
【０１９９】
液晶表示パネル１９の駆動周波数は、ＦＲＣ部１０により変換されたフレーム周波数となる。従って、６０Ｈｚのフレーム周波数で入力された画像信号が、ＦＲＣ部１０で１２０Ｈｚのフレーム周波数に変換された場合、液晶表示パネル１９の駆動周波数は、１２０Ｈｚとなる。
【０２００】
図２７において、内挿ベクトルメモリ１２ｆは、内挿ベクトル評価部１１ｆで割り付けられた内挿ベクトルを内挿ブロック毎に蓄積する。制御部１５は、ＯＳＤ処理部１４によりテレビジョン画像信号にＯＳＤ信号が重畳された場合、内挿ベクトルメモリ１２ｆにアクセスし、ＯＳＤ信号が重畳されている内挿ブロックの内挿ベクトルを０ベクトルにする。また、テレビジョン画像信号のＯＳＤ信号が重畳されていない内挿ブロックについては、内挿ベクトルメモリ１２ｆの内挿ベクトルを内挿フレーム生成部１２ｂに入力する。
【０２０１】
具体的には、制御部１５が、内挿ベクトルメモリ１２ｆにアクセスしたときに、ＯＳＤ信号が重畳されている内挿ブロックにフラグ情報を付与する。このフラグ情報は、内挿ブロックの内挿ベクトルを使わないようにするためのフラグであり、フラグ情報が付与された内挿ブロックの内挿ベクトルの出力が０になるように制御される。このように、内挿ベクトルメモリ１２ｆの内挿ベクトルを０にすることで、動き補正内挿を行わないようにすることができる。
【０２０２】
なお、制御部１５は、どの内挿ブロック（あるいはどの画素）にＯＳＤ信号が重畳されているかを示す情報を予め保持している。この情報は、例えば、画素の座標位置情報、内挿ブロックの領域情報などであり、ＯＳＤ信号が重畳されている画素あるいは領域がわかる情報であればよい。また、フラグ情報が付与されていない内挿ブロックの内挿ベクトルは、内挿ベクトルメモリ１２ｆから出力されて内挿フレーム生成部１２ｂに入力され、内挿フレーム生成部１２ｂにおいて内挿フレーム生成に利用される。
【０２０３】
このように、通常の動画像表示時においては動き補償型のＦＲＣ処理により動画質を改善することができるとともに、ＯＳＤ信号が重畳された画像信号が入力された場合には、このＯＳＤ信号が重畳されている画素あるいは該画素を含む領域に対する動き補正処理を無効化することにより、動画像と静止画像（ＯＳＤ）とが混在することによる動きベクトルの検出エラー、動き補正のエラー等をなくし、動き補償型のＦＲＣ処理に起因するＯＳＤ部分の画質劣化を効果的に防止することができる。
【０２０４】
（第１６の実施形態）
本発明の第１６の実施形態は、第一の画像信号を例えば放送を受信して得られたテレビジョン画像信号（親画面画像信号）、第二の画像信号を例えば装置内部で発生したＰｉｎＰ（Ｐｉｃｔｕｒｅ  ｉｎ  Ｐｉｃｔｕｒｅ）などの子画面画像信号とし、両者の画像信号を合成して表示するときに、子画面画像信号が合成（重畳）された画素あるいは該画素を含む領域に対して、ＦＲＣ部１０における動き補正処理を無効化するために、子画面画像信号が合成（重畳）されている内挿ブロックの内挿ベクトルを０とし、その部分だけ異なる位置の画素間での内挿が生じないようにするものである。
【０２０５】
図２８は、本発明の第１６の実施形態に係る液晶表示装置の要部構成例を示すブロック図で、液晶表示装置は、ＦＲＣ部１０、合成部１３、子画面処理部２０、制御部１５、電極駆動部１８、及び液晶表示パネル１９を備えて構成されている。ＦＲＣ部１０は、動きベクトル検出部１１ｅ、内挿ベクトル評価部１１ｆ、内挿フレーム生成部１２ｂ、タイムベース変換部１２ｄを備え、さらに、内挿ベクトル評価部１１ｆにより割り付けられた内挿ベクトルを内挿ベクトル毎に蓄積する内挿ベクトルメモリ１２ｆを備える。
【０２０６】
子画面処理部２０は、縮小されたテレビジョン画像（動画像）や、キャプチャ画像（静止画）などを子画面表示するためのＰｉｎＰ表示信号を生成する。この子画面（ＰｉｎＰ）表示のＯＮ／ＯＦＦは、リモコン等を用いてユーザによりなされる指示操作に応じて制御される。合成部１３は、子画面処理部２０からのＰｉｎＰ表示信号をテレビジョン画像信号に合成（重畳）する。
【０２０７】
制御部１５は、上記各部を制御するためのＣＰＵを備え、ユーザの指示等に応じて子画面処理部２０によりテレビジョン画像信号にＰｉｎＰ表示信号が重畳された場合、ＰｉｎＰ表示信号が重畳されている画素あるいは該画素を含む領域に対しては、ＦＲＣ部１０における動き補正処理を無効化するように制御する。
【０２０８】
ここで、テレビジョン画像信号（親画面画像信号、主画面画像信号）に重畳させる子画面画像信号（副画面画像信号）は、文字や、数字、記号、画像などのキャラクタ信号や、静止画像、動画像などの画像信号であればよく、上記の装置内部で発生される子画面画像信号に限定されず、外部より入力されるものであってもよい。また、放送局などの送信側で予め合成された子画面画像信号であってもよい。この場合、子画面画像信号が合成されている位置を検出し、この子画面画像信号が合成されている画素あるいは該画素を含む領域に対して、ＦＲＣ部１０における動き補正処理を無効化するようにすればよい。
【０２０９】
液晶表示パネル１９の駆動周波数は、ＦＲＣ部１０により変換されたフレーム周波数となる。従って、６０Ｈｚのフレーム周波数で入力された画像信号が、ＦＲＣ部１０で１２０Ｈｚのフレーム周波数に変換された場合、液晶表示パネル１９の駆動周波数は、１２０Ｈｚとなる。
【０２１０】
図２８において、内挿ベクトルメモリ１２ｆは、内挿ベクトル評価部１１ｆで割り付けられた内挿ベクトルを内挿ブロック毎に蓄積する。制御部１５は、子画面処理部２０によりテレビジョン画像信号にＰｉｎＰ表示信号が重畳された場合、内挿ベクトルメモリ１２ｆにアクセスし、ＰｉｎＰ表示信号が重畳されている内挿ブロックの内挿ベクトルを０ベクトルにする。また、テレビジョン画像信号のＰｉｎＰ表示信号が重畳されていない内挿ブロックについては、内挿ベクトルメモリ１２ｆの内挿ベクトルを内挿フレーム生成部１２ｂに入力する。
【０２１１】
具体的には、制御部１５が、内挿ベクトルメモリ１２ｆにアクセスしたときに、ＰｉｎＰ表示信号が重畳されている内挿ブロックにフラグ情報を付与する。このフラグ情報は、内挿ブロックの内挿ベクトルを使わないようにするためのフラグであり、フラグ情報が付与された内挿ブロックの内挿ベクトルの出力が０になるように制御される。このように、内挿ベクトルメモリ１２ｆの内挿ベクトルを０にすることで、動き補正内挿を行わないようにすることができる。
【０２１２】
なお、制御部１５は、どの内挿ブロック（あるいはどの画素）にＰｉｎＰ表示信号が重畳されているかを示す情報を予め保持している。この情報は、例えば、画素の座標位置情報、内挿ブロックの領域情報などであり、ＰｉｎＰ表示信号が重畳されている画素あるいは領域がわかる情報であればよい。また、フラグ情報が付与されていない内挿ブロックの内挿ベクトルは、内挿ベクトルメモリ１２ｆから出力されて内挿フレーム生成部１２ｂに入力され、内挿フレーム生成部１２ｂにおいて内挿フレーム生成に利用される。
【０２１３】
このように、通常の動画像表示時においては動き補償型のＦＲＣ処理により動画質を改善することができるとともに、子画面画像信号が重畳された画像信号が入力された場合には、該子画面画像信号が重畳されている画素あるいは該画素を含む領域に対する動き補正処理を無効化することにより、異なる動き特性を持つ動画像が混在することによる動きベクトルの検出エラー、動き補正のエラー等をなくし、動き補償型のＦＲＣ処理に起因する子画面表示部分の画質劣化を効果的に防止することができる。
【０２１４】
（第１７の実施形態）
本発明の第１７の実施形態は、第一の画像信号を例えば放送を受信して得られたテレビジョン画像信号、第二の画像信号を例えばＯＳＤなどのキャラクタ信号とし、両者の画像信号を合成して表示するときに、キャラクタ信号が合成（重畳）された画素あるいは該画素を含む領域に対して、ＦＲＣ部１０における動き補正処理を無効化するために、内挿フレーム生成部１２ｂのキャラクタ信号が合成（重畳）されている内挿ブロックの内挿ベクトルを０とし、その部分だけ異なる位置の画素間での内挿が生じないようにするものである。
【０２１５】
図２９は、本発明の第１７の実施形態に係る液晶表示装置の要部構成例を示すブロック図で、液晶表示装置は、ＦＲＣ部１０、合成部１３、ＯＳＤ処理部１４、制御部１５、電極駆動部１８、及び液晶表示パネル１９を備えて構成されている。ＦＲＣ部１０は、図１に示したように、動きベクトル検出部１１ｅ、内挿ベクトル評価部１１ｆ、内挿フレーム生成部１２ｂ、及びタイムベース変換部１２ｄを備える。なお、ＯＳＤ表示のＯＮ／ＯＦＦは、リモコン等を用いてユーザによりなされる指示操作に応じて制御される。
【０２１６】
図２９において、内挿フレーム生成部１２ｂは、内挿ベクトル評価部１１ｆで割り付けられた内挿ベクトルから内挿フレームを生成する。制御部１５は、ＯＳＤ処理部１４によりテレビジョン画像信号にＯＳＤ信号が重畳された場合、内挿フレーム生成部１２ｂにアクセスし、ＯＳＤ信号が重畳されている内挿ブロックの内挿ベクトルを０ベクトルにする。また、テレビジョン画像信号のＯＳＤ信号が重畳されていない内挿ブロックについては、内挿フレーム生成部１２ｂが内挿ベクトルから内挿フレームを生成する。
【０２１７】
ここで、制御部１５は、どの内挿ブロック（あるいはどの画素）にＯＳＤ信号が重畳されているかを示す情報（座標位置情報、領域情報など）を内挿フレーム生成部１２ｂに渡し、内挿フレーム生成部１２ｂは、制御部１５からの指示に従って、該当する画素あるいはその画素を含む内挿ブロックの内挿ベクトルを０ベクトルにする。
【０２１８】
このように、通常の動画像表示時においては動き補償型のＦＲＣ処理により動画質を改善することができるとともに、ＯＳＤ信号が重畳された画像信号が入力された場合には、ＯＳＤ信号が重畳されている画素あるいは該画素を含む領域に対する動き補正処理を無効化することにより、動画像と静止画像（ＯＳＤ）とが混在することによる動きベクトルの検出エラー、動き補正のエラー等をなくし、動き補償型のＦＲＣ処理に起因するＯＳＤ部分の画質劣化を効果的に防止することができる。
【０２１９】
（第１８の実施形態）
本発明の第１８の実施形態は、第一の画像信号を例えば放送を受信して得られたテレビジョン画像信号、第二の画像信号を例えばＰｉｎＰなどの子画面画像信号とし、両者の画像信号を合成して表示するときに、子画面画像信号が合成（重畳）された画素あるいは該画素を含む領域に対して、ＦＲＣ部１０における動き補正処理を無効化するために、内挿フレーム生成部１２ｂの子画面画像信号が合成（重畳）されている内挿ブロックの内挿ベクトルを０とし、その部分だけ異なる位置の画素間での内挿が生じないようにするものである。
【０２２０】
図３０は、本発明の第１８の実施形態に係る液晶表示装置の要部構成例を示すブロック図で、液晶表示装置は、ＦＲＣ部１０、合成部１３、子画面処理部２０、制御部１５、電極駆動部１８、及び液晶表示パネル１９を備えて構成されている。ＦＲＣ部１０は、図１に示したように、動きベクトル検出部１１ｅ、内挿ベクトル評価部１１ｆ、内挿フレーム生成部１２ｂ、及びタイムベース変換部１２ｄを備える。なお、子画面（ＰｉｎＰ）表示のＯＮ／ＯＦＦは、リモコン等を用いてユーザによりなされる指示操作に応じて制御される。
【０２２１】
図３０において、内挿フレーム生成部１２ｂは、内挿ベクトル評価部１１ｆで割り付けられた内挿ベクトルから内挿フレームを生成する。制御部１５は、子画面処理部２０によりテレビジョン画像信号にＰｉｎＰ表示信号が重畳された場合、内挿フレーム生成部１２ｂにアクセスし、ＰｉｎＰ表示信号が重畳されている内挿ブロックの内挿ベクトルを０ベクトルにする。また、テレビジョン画像信号のＰｉｎＰ表示信号が重畳されていない内挿ブロックについては、内挿フレーム生成部１２ｂが内挿ベクトルから内挿フレームを生成する。
【０２２２】
ここで、制御部１５は、どの内挿ブロック（あるいはどの画素）にＰｉｎＰ表示信号が重畳されているかを示す情報（座標位置情報、領域情報など）を内挿フレーム生成部１２ｂに渡し、内挿フレーム生成部１２ｂは、制御部１５からの指示に従って、該当する画素あるいはその画素を含む内挿ブロックの内挿ベクトルを０ベクトルにする。
【０２２３】
このように、通常の動画像表示時においては動き補償型のＦＲＣ処理により動画質を改善することができるとともに、子画面画像信号が重畳された画像信号が入力された場合には、この子画面画像信号が重畳されている画素あるいは該画素を含む領域に対する動き補正処理を無効化することにより、異なる動き特性を持つ動画像が混在することによる動きベクトルの検出エラー、動き補正のエラー等をなくし、動き補償型のＦＲＣ処理に起因する子画面部分の画質劣化を効果的に防止することができる。
【０２２４】
（第１９の実施形態）
本発明の第１９の実施形態は、ＦＲＣ部１０への入力経路とは別の経路上に線形補間内挿処理部を備え、第一の画像信号を例えば放送を受信して得られたテレビジョン画像信号、第二の画像信号を例えばＯＳＤなどのキャラクタ信号とし、両者の画像信号を合成して表示するときに、キャラクタ信号が合成（重畳）された画素あるいは該画素を含む領域に対して、線形補間内挿処理部側に切り替えて、ＯＳＤ部分にだけ線形補間を施した画像信号を内挿するものである。すなわち、入力画像信号においてキャラクタ信号が合成（重畳）された画素あるいは該画素を含む領域に対しては、動き補償による内挿処理を行うのではなく、線形内挿処理を行うことで、フレームレート変換するように切り替えるものである。
【０２２５】
図３１は、本発明の第１９の実施形態に係る液晶表示装置の要部構成例を示すブロック図で、液晶表示装置は、ＦＲＣ部１０、合成部１３、ＯＳＤ処理部１４、制御部１５、切替部４１、さらに、ＦＲＣ部１０への入力経路とは別に設けられた経路４２と、経路４２上に線形補間内挿処理部４３とを備えて構成されている。なお、電極駆動部１８、液晶表示パネル１９の記載は省略している。切替部４１は、ＦＲＣ部１０の後段に設けられ、制御部１５からの指示に従って、ＦＲＣ部１０からの画像信号（動き補償画像）を出力させるか、線形補間内挿処理部４３からの画像信号（線形補間画像）を出力させるかを切り替える。なお、ＯＳＤ表示のＯＮ／ＯＦＦは、リモコン等を用いてユーザによりなされる指示操作に応じて制御される。
【０２２６】
制御部１５は、ＯＳＤ処理部１４によりテレビジョン画像信号にＯＳＤ信号が重畳された場合、ＯＳＤ信号が重畳されている画素あるいは該画素を含む領域に対して、切替部４１を経路４２（線形補間内挿処理部４３）側に切り替えて、入力画像信号のフレーム間に、線形補間処理を施した画像信号を内挿して生成された表示画像信号を表示パネルに出力する。線形補間内挿処理部４３は、入力画像信号が入力され、ＯＳＤ信号が重畳されたときに、このＯＳＤ信号が重畳されている画素あるいは該画素を含む領域に対して、入力画像信号のフレーム間に、線形補間処理を施した内挿フレームを挿入する処理を行う。また、ＯＳＤ信号が重畳されていない画素あるいは該画素を含む領域に対しては、切替部４１をＦＲＣ部１０側に切り替えて、入力画像信号のフレーム間においてＦＲＣ処理（動き補償フレーム内挿処理）が施された表示画像信号を表示パネルに出力する。
【０２２７】
なお、線形補間処理とは、前述の非特許文献２に記載されているように、前フレームの信号と現フレームの信号からフレーム内挿比αによる線形補間により内挿フレームを得るものである。
【０２２８】
このように、ＯＳＤ信号が重畳された画像信号が入力された場合には、このＯＳＤ信号が重畳された画素あるいは該画素を含む領域に対しては、動き補償による内挿処理を行わないようにすることにより、動画像と静止画像（ＯＳＤ）とが混在することによる動きベクトルの検出エラー、動き補正のエラー等をなくし、動き補償型のＦＲＣ処理に起因するＯＳＤ部分の画質劣化を効果的に防止することができる。
【０２２９】
（第２０の実施形態）
本発明の第２０の実施形態は、ＦＲＣ部１０への入力経路とは別の経路上に線形補間内挿処理部を備え、第一の画像信号を例えば放送を受信して得られたテレビジョン画像信号、第二の画像信号を例えばＰｉｎＰなどの子画面画像信号とし、両者の画像信号を合成して表示するときに、子画面画像信号が合成（重畳）された画素あるいは該画素を含む領域に対して、線形補間内挿処理部側に切り替えて、子画面部分にだけ線形補間を施した画像信号を内挿するものである。すなわち、入力画像信号において子画面画像信号が合成（重畳）された画素あるいは該画素を含む領域に対しては、動き補償による内挿処理を行うのではなく、線形内挿処理を行うことで、フレームレート変換するように切り替えるものである。
【０２３０】
図３２は、本発明の第２０の実施形態に係る液晶表示装置の要部構成例を示すブロック図で、液晶表示装置は、ＦＲＣ部１０、合成部１３、子画面処理部２０、制御部１５、切替部４１、さらに、ＦＲＣ部１０への入力経路とは別に設けられた経路４２と、経路４２上に線形補間内挿処理部４３とを備えて構成されている。なお、電極駆動部１８、液晶表示パネル１９の記載は省略している。切替部４１は、ＦＲＣ部１０の後段に設けられ、制御部１５からの指示に従って、ＦＲＣ部１０からの画像信号（動き補償画像）を出力させるか、線形補間内挿処理部４３からの画像信号（線形補間画像）を出力させるかを切り替える。なお、子画面（ＰｉｎＰ）表示のＯＮ／ＯＦＦは、リモコン等を用いてユーザによりなされる指示操作に応じて制御される。
【０２３１】
制御部１５は、子画面処理部２０によりテレビジョン画像信号（親画面画像信号）にＰｉｎＰ表示信号が重畳された場合、ＰｉｎＰ表示信号が重畳されている画素あるいは該画素を含む領域に対して、切替部４１を経路４２（線形補間内挿処理部４３）側に切り替えて、入力画像信号のフレーム間に、線形補間処理を施した画像信号を内挿して生成された表示画像信号を表示パネルに出力する。線形補間内挿処理部４３は、入力画像信号が入力され、ＰｉｎＰ表示信号が重畳されたときに、このＰｉｎＰ表示信号が重畳されている画素あるいは該画素を含む領域に対して、入力画像信号のフレーム間に、線形補間処理を施した内挿フレームを挿入する処理を行う。また、ＰｉｎＰ表示信号が重畳されていない画素あるいは該画素を含む領域に対しては、切替部４１をＦＲＣ部１０側に切り替えて、入力画像信号のフレーム間においてＦＲＣ処理（動き補償フレーム内挿処理）が施された表示画像信号を表示パネルに出力する。
【０２３２】
なお、線形補間処理とは、前述の非特許文献２に記載されているように、前フレームの信号と現フレームの信号からフレーム内挿比αによる線形補間により内挿フレームを得るものである。
【０２３３】
このように、子画面画像信号が重畳された画像信号が入力された場合には、この子画面画像信号が重畳された画素あるいは該画素を含む領域に対しては、動き補償による内挿処理を行わないようにすることにより、異なる動き特性を持つ動画像が混在することによる動きベクトルの検出エラー、動き補正のエラー等をなくし、動き補償型のＦＲＣ処理に起因する子画面部分の画質劣化を効果的に防止することができる。
【０２３４】
（第２１の実施形態）
本発明の第２１の実施形態は、ＦＲＣ部１０への入力経路とは別の経路上にメモリを備え、第一の画像信号を例えば放送を受信して得られたテレビジョン画像信号、第二の画像信号を例えばＯＳＤなどのキャラクタ信号とし、両者の画像信号を合成して表示するときに、キャラクタ信号が合成（重畳）された画素あるいは該画素を含む領域に対して、メモリ側に切り替えて、ＯＳＤ部分にだけメモリから同一フレームの画像信号を複数回高速で繰り返し読み出してフレームレート変換するものである。すなわち、入力画像信号においてキャラクタ信号が合成（重畳）された画素あるいは該画素を含む領域に対しては、動き補償による内挿処理を行わず、入力画像信号を高速連続出力することにより、フレームレート変換して、液晶表示パネル１９へ表示出力するように切り替えるものである。
【０２３５】
図３３は、本発明の第２１の実施形態に係る液晶表示装置の要部構成例を示すブロック図で、液晶表示装置は、ＦＲＣ部１０、合成部１３、ＯＳＤ処理部１４、制御部１５、切替部４１、さらに、ＦＲＣ部１０への入力経路とは別に設けられた経路４２と、経路４２上にメモリ４４とを備えて構成されている。なお、電極駆動部１８、液晶表示パネル１９の記載は省略している。切替部４１は、ＦＲＣ部１０の後段に設けられ、制御部１５からの指示に従って、ＦＲＣ部１０からの画像信号（動き補償画像）を出力させるか、メモリ４４からの前フレーム又は後フレームの画像信号を出力させるかを切り替える。なお、ＯＳＤ表示のＯＮ／ＯＦＦは、リモコン等を用いてユーザによりなされる指示操作に応じて制御される。
【０２３６】
制御部１５は、ＯＳＤ処理部１４によりテレビジョン画像信号にＯＳＤ信号が重畳された場合、ＯＳＤ信号が重畳されている画素あるいは該画素を含む領域に対して、切替部４１を経路４２（メモリ４４）側に切り替えて、入力画像信号のフレーム間に、その前或いは後フレームの画像信号をメモリ４４から繰り返し読み出して挿入し生成された表示画像信号を表示パネルに出力する。メモリ４４には、入力画像信号が蓄積されており、ＯＳＤ信号が重畳されたときに、このＯＳＤ信号が重畳されている画素あるいは該画素を含む領域の画像信号が繰り返し読み出される。また、ＯＳＤ信号が重畳されていない画素あるいは該画素を含む領域に対しては、切替部４１をＦＲＣ部１０側に切り替えて、入力画像信号のフレーム間においてＦＲＣ処理（動き補償フレーム内挿処理）が施された表示画像信号を表示パネルに出力する。
【０２３７】
このように、ＯＳＤ信号が重畳された画像信号が入力された場合には、このＯＳＤ信号が重畳された画素あるいは該画素を含む領域に対しては、動き補償による内挿処理を行わないようにすることにより、動画像と静止画像（ＯＳＤ）とが混在することによる動きベクトルの検出エラー、動き補正のエラー等をなくし、動き補償型のＦＲＣ処理に起因するＯＳＤ部分の画質劣化を効果的に防止することができる。
【０２３８】
（第２２の実施形態）
本発明の第２２の実施形態は、ＦＲＣ部１０への入力経路とは別の経路上にメモリを備え、第一の画像信号を例えば放送を受信して得られたテレビジョン画像信号、第二の画像信号を例えばＰｉｎＰなどの子画面画像信号とし、両者の画像信号を合成して表示するときに、子画面画像信号が合成（重畳）された画素あるいは該画素を含む領域に対して、メモリ側に切り替えて、子画面部分にだけメモリから同一フレームの画像信号を複数回高速で繰り返し読み出してフレームレート変換するものである。すなわち、入力画像信号において子画面画像信号が合成（重畳）された画素あるいは該画素を含む領域に対しては、動き補償による内挿処理を行わず、入力画像信号を高速連続出力することにより、フレームレート変換して、液晶表示パネル１９へ表示出力するように切り替えるものである。
【０２３９】
図３４は、本発明の第２２の実施形態に係る液晶表示装置の要部構成例を示すブロック図で、液晶表示装置は、ＦＲＣ部１０、合成部１３、子画面処理部２０、制御部１５、切替部４１、さらに、ＦＲＣ部１０への入力経路とは別に設けられた経路４２と、経路４２上にメモリ４４とを備えて構成されている。なお、電極駆動部１８、液晶表示パネル１９の記載は省略している。切替部４１は、ＦＲＣ部１０の後段に設けられ、制御部１５からの指示に従って、ＦＲＣ部１０からの画像信号（動き補償画像）を出力させるか、メモリ４４からの前フレーム又は後フレームの画像信号を出力させるかを切り替える。なお、子画面（ＰｉｎＰ）表示のＯＮ／ＯＦＦは、リモコン等を用いてユーザによりなされる指示操作に応じて制御される。
【０２４０】
制御部１５は、子画面処理部２０によりテレビジョン画像信号（親画面画像信号）にＰｉｎＰ表示信号が重畳された場合、ＰｉｎＰ表示信号が重畳されている画素あるいは該画素を含む領域に対して、切替部４１を経路４２（メモリ４４）側に切り替えて、入力画像信号のフレーム間に、その前或いは後フレームの画像信号をメモリ４４から繰り返し読み出して挿入し生成された表示画像信号を表示パネルに出力する。メモリ４４には、入力画像信号が蓄積されており、ＰｉｎＰ表示信号が重畳されたときに、このＰｉｎＰ表示信号が重畳されている画素あるいは該画素を含む領域の画像信号が繰り返し読み出される。また、ＰｉｎＰ表示信号が重畳されていない画素あるいは該画素を含む領域に対しては、切替部４１をＦＲＣ部１０側に切り替えて、入力画像信号のフレーム間においてＦＲＣ処理（動き補償フレーム内挿処理）が施された表示画像信号を表示パネルに出力する。
【０２４１】
このように、子画面画像信号が重畳された画像信号が入力された場合には、この子画面画像信号が重畳された画素あるいは該画素を含む領域に対しては、動き補償による内挿処理を行わないようにすることにより、異なる動き特性を持つ動画像が混在することによる動きベクトルの検出エラー、動き補正のエラー等をなくし、動き補償型のＦＲＣ処理に起因する子画面部分の画質劣化を効果的に防止することができる。
【０２４２】
（第２３の実施形態）
本発明の第２３の実施形態は、第一の画像信号を例えば放送を受信して得られたテレビジョン画像信号、第二の画像信号を例えばＯＳＤなどのキャラクタ信号とし、両者の画像信号を合成して表示するときに、キャラクタ信号が合成（重畳）されている画素あるいは該画素を含む領域に対して、内挿フレーム生成部における動き補正処理の補正強度を可変するように構成される。具体的には、動き補正処理を施した画像信号と、線形補間処理を施した画像信号とを所定の比率で加重加算することにより、内挿フレームを生成する内挿フレーム生成部を備え、ＯＳＤ表示するときに、入力画像信号におけるキャラクタ信号が合成（重畳）されている画素あるいは該画素を含む領域に対して加重加算比率を可変する。
【０２４３】
図３５は、本発明の第２３の実施形態に係るＦＲＣ部１０の要部構成例を示すブロック図で、ＦＲＣ部１０のフレーム生成部１２は、内挿用フレームメモリ１２ａ、内挿フレーム生成部１２ｂ、さらに、ＦＲＣ部１０における動き補正処理の補正強度を可変する補正強度可変部１２ｇ、を備えて構成される。なお、ＯＳＤ表示のＯＮ／ＯＦＦは、リモコン等を用いて、ユーザによる指示操作に応じて制御される。図中、Ｖは内挿ベクトル、αはフレーム内挿比、βは補正強度（加重加算比率）を示す。
【０２４４】
一般に、フレーム内挿処理の方法として、例えば、２フレーム間の線形補間内挿によるフレーム内挿と、動きベクトルを用いたフレーム内挿（動き補正内挿）が知られている。前者は、前フレームの信号と現フレームの信号からフレーム内挿比αによる線形補間により内挿フレームを得るものである。従って、この線形補間内挿を用いれば、ＦＲＣ処理の動きにＯＳＤ部分が引っ張られることによるＯＳＤ部分の画質劣化を防止できる。
【０２４５】
一方、後者は、前フレームと現フレームから内挿フレームを得るために、前フレームの画像と現フレームの画像間の動きベクトルから内挿ベクトルＶを検出し、その値（内挿ベクトルＶ）をフレーム内挿比αで分割したαＶの大きさだけ前フレームの画像をずらした信号と、現フレームの画像を（α―１）Ｖだけずらした信号との加重加算により内挿フレームを得る。この動き補正内挿を用いれば、動画像そのものをとらえて補正するため、解像度の劣化がなく、良好な画質を得ることができるが、この処理に起因してＯＳＤ部分が引っ張られてＯＳＤ部分の画質が劣化してしまうことがある。
【０２４６】
そこで、本実施形態では、フレーム生成部１２に補正強度可変部１２ｇを設けている。この補正強度可変部１２ｇは、ＯＳＤ処理部１４によりテレビジョン画像信号にＯＳＤ信号が重畳された場合、ＯＳＤ信号が重畳されている画素あるいは該画素を含む領域に対して加重加算比率βを可変する。この加重加算比率βは、動き補正処理を施した画像信号と、線形補間処理を施した画像信号とを加重加算する際の比率である。本実施形態の内挿フレーム生成部１２ｂは、この加重加算比率βに従って、ＯＳＤ信号が重畳されている画素あるいは該画素を含む領域に対して、線形補間内挿と動き補正内挿を加重加算して内挿フレームを生成する。
【０２４７】
例えば、補正強度可変部１２ｇは、テレビジョン画像信号にＯＳＤ信号が重畳された場合、ＯＳＤ信号が重畳されている画素あるいは該画素を含む領域に対して加重加算比率β＝０とし、線形補間処理を施した画像信号を内挿フレームにしてＯＳＤ部分の画質劣化を防止する。また、入力画像信号におけるＯＳＤ信号が重畳されていない画素あるいは該画素を含む領域に対して加重加算比率β＝１とし、動き補正処理を施した画像信号を内挿フレームにして動画質を良好にする。
【０２４８】
また、加重加算比率βは任意に可変設定できるため、０〜１の略中間の値に設定するようにしてもよい。これにより、内挿フレーム画像において動き補正も行いつつ、ＯＳＤ部分の画質も劣化させないように制御することができ、動きぼけによる画質劣化とＯＳＤ表示の画質劣化との双方を適切に改善することが可能となる。なお、ＦＲＣ部１０における補正強度の可変処理は、画素単位で行う方法、ブロック（領域）単位で行う方法のいずれの方法で行ってもよい。
【０２４９】
このようにして、ＯＳＤ信号が重畳された画像信号が入力された場合には、このＯＳＤ信号が重畳されている画素あるいは該画素を含む領域に対しては、ＦＲＣにおける動き補正処理の補正強度を可変できる（弱くすることができる）ため、動画像と静止画像（ＯＳＤ）とが混在することによる動きベクトルの検出エラー、動き補正のエラー等の影響を低減し、動き補償型のＦＲＣ処理に起因するＯＳＤ部分の画質劣化を効果的に抑制することができる。
【０２５０】
（第２４の実施形態）
本発明の第２４の実施形態は、第一の画像信号を例えば放送を受信して得られたテレビジョン画像信号、第二の画像信号を例えばＰｉｎＰなどの子画面画像信号とし、両者の画像信号を合成して表示するときに、子画面画像信号が合成（重畳）されている画素あるいは該画素を含む領域に対して、内挿フレーム生成部における動き補正処理の補正強度を可変するように構成される。具体的には、動き補正処理を施した画像信号と、線形補間処理を施した画像信号とを所定の比率で加重加算することにより、内挿フレームを生成する内挿フレーム生成部を備え、子画面表示するときに、入力画像信号における子画面画像信号が重畳されている画素あるいは該画素を含む領域に対して加重加算比率を可変する。
【０２５１】
本発明の第２４の実施形態に係るＦＲＣ部１０の要部構成は、前述の図３５に示した構成と同様である。すなわち、ＦＲＣ部１０のフレーム生成部１２は、内挿用フレームメモリ１２ａ、内挿フレーム生成部１２ｂ、さらに、ＦＲＣ部１０における動き補正処理の補正強度を可変する補正強度可変部１２ｇ、を備えて構成される。なお、子画面（ＰｉｎＰ）表示のＯＮ／ＯＦＦは、リモコン等を用いて、ユーザによる指示操作に応じて制御される。
【０２５２】
一般に、フレーム内挿処理の方法として、例えば、２フレーム間の線形補間内挿によるフレーム内挿と、動きベクトルを用いたフレーム内挿（動き補正内挿）が知られている。前者は、前フレームの信号と現フレームの信号からフレーム内挿比αによる線形補間により内挿フレームを得るものである。従って、この線形補間内挿を用いれば、ＦＲＣ処理の動きに子画面部分が引っ張られることによる子画面部分の画質劣化を防止できる。
【０２５３】
一方、後者は、前フレームと現フレームから内挿フレームを得るために、前フレームの画像と現フレームの画像間の動きベクトルから内挿ベクトルＶを検出し、その値（内挿ベクトルＶ）をフレーム内挿比αで分割したαＶの大きさだけ前フレームの画像をずらした信号と、現フレームの画像を（α―１）Ｖだけずらした信号との加重加算により内挿フレームを得る。この動き補正内挿を用いれば、動画像そのものをとらえて補正するため、解像度の劣化がなく、良好な画質を得ることができるが、この処理に起因して子画面部分が引っ張られて子画面部分の画質が劣化してしまうことがある。
【０２５４】
そこで、本実施形態では、フレーム生成部１２に補正強度可変部１２ｇを設けている。この補正強度可変部１２ｇは、子画面処理部２０によりテレビジョン画像信号にＰｉｎＰ表示信号が重畳された場合、ＰｉｎＰ表示信号が重畳されている画素あるいは該画素を含む領域に対して加重加算比率βを可変する。この加重加算比率βは、動き補正処理を施した画像信号と、線形補間処理を施した画像信号とを加重加算する際の比率である。本実施形態の内挿フレーム生成部１２ｂは、この加重加算比率βに従って、ＰｉｎＰ表示信号が重畳されている画素あるいは該画素を含む領域に対して、線形補間内挿と動き補正内挿を加重加算して内挿フレームを生成する。
【０２５５】
例えば、補正強度可変部１２ｇは、テレビジョン画像信号にＰｉｎＰ表示信号が重畳された場合、ＰｉｎＰ表示信号が重畳されている画素あるいは該画素を含む領域に対して加重加算比率β＝０とし、線形補間処理を施した画像信号を内挿フレームにして子画面部分の画質劣化を防止する。また、入力画像信号におけるＰｉｎＰ表示信号が重畳されていない画素あるいは該画素を含む領域に対して加重加算比率β＝１とし、動き補正処理を施した画像信号を内挿フレームにして動画質を良好にする。
【０２５６】
また、加重加算比率βは任意に可変設定できるため、０〜１の略中間の値に設定するようにしてもよい。これにより、内挿フレーム画像において動き補正も行いつつ、子画面部分の画質も劣化させないように制御することができ、動きぼけによる画質劣化と子画面表示の画質劣化との双方を適切に改善することが可能となる。なお、ＦＲＣ部１０における補正強度の可変処理は、画素単位で行う方法、ブロック（領域）単位で行う方法のいずれの方法で行ってもよい。
【０２５７】
このようにして、ＰｉｎＰ表示信号が重畳された画像信号が入力された場合には、このＰｉｎＰ表示信号が重畳されている画素あるいは該画素を含む領域に対しては、ＦＲＣにおける動き補正処理の補正強度を可変できる（弱くすることができる）ため、異なる動き特性を持つ動画像が混在することによる動きベクトルの検出エラー、動き補正のエラー等の影響を低減し、動き補償型のＦＲＣ処理に起因する子画面部分の画質劣化を効果的に抑制することができる。
【０２５８】
図３６は、本発明の画像表示装置による画像表示方法の一例を説明するためのフロー図である。ここでは、前述の第１５の実施形態及び第１７の実施形態における画像表示方法の例について説明する。まず、画像表示装置は、入力画像信号に対してＯＳＤ信号が重畳された画素（或いはブロック）かどうかを判定し（ステップＳ６１）、ＯＳＤ信号が重畳された画素（或いはブロック）と判定された場合（ＹＥＳの場合）、ＯＳＤ信号が重畳されている画素あるいは該画素を含む領域（内挿ブロック）の内挿ベクトルを０ベクトルにすることにより、ＦＲＣ部１０の動き補正処理を部分的に無効化する（ステップＳ６２）。また、ステップＳ６１において、ＯＳＤ信号が重畳されていない画素（或いはブロック）と判定された場合（ＮＯの場合）、ＦＲＣ部１０にて動き補償による内挿処理を施した画像信号を出力する（ステップＳ６３）。このようにしてフレーム周波数が変換された画像信号を、液晶表示パネル１９から表示出力する（ステップＳ６４）。
【０２５９】
図３７は、本発明の画像表示装置による画像表示方法の他の例を説明するためのフロー図である。ここでは、前述の第１６の実施形態及び第１８の実施形態における画像表示方法の例について説明する。まず、画像表示装置は、入力画像信号に対してＰｉｎＰ表示信号が重畳された画素（或いはブロック）かどうかを判定し（ステップＳ７１）、ＰｉｎＰ表示信号が重畳された画素（或いはブロック）と判定された場合（ＹＥＳの場合）、ＰｉｎＰ表示信号が重畳されている画素あるいは該画素を含む領域（内挿ブロック）の内挿ベクトルを０ベクトルにすることにより、ＦＲＣ部１０の動き補正処理を部分的に無効化する（ステップＳ７２）。また、ステップＳ７１において、ＰｉｎＰ表示信号が重畳されていない画素（或いはブロック）と判定された場合（ＮＯの場合）、ＦＲＣ部１０にて動き補償による内挿処理を施した画像信号を出力する（ステップＳ７３）。このようにしてフレーム周波数が変換された画像信号を、液晶表示パネル１９から表示出力する（ステップＳ７４）。
【０２６０】
図３８は、本発明の画像表示装置による画像表示方法の他の例を説明するためのフロー図である。ここでは、前述の第１９の実施形態における画像表示方法の例について説明する。まず、画像表示装置は、入力画像信号に対してＯＳＤ信号が重畳された画素（或いはブロック）かどうかを判定し（ステップＳ８１）、ＯＳＤ信号が重畳された画素（或いはブロック）と判定された場合（ＹＥＳの場合）、ＯＳＤ信号が重畳されている画素あるいは該画素を含む領域（内挿ブロック）に対して、線形補間画像を内挿した画像信号を出力することにより、ＦＲＣ部１０の動き補償内挿処理を部分的に行わないようにする（ステップＳ８２）。また、ステップＳ８１において、ＯＳＤ信号が重畳されていない画素（或いはブロック）と判定された場合（ＮＯの場合）、ＦＲＣ部１０にて動き補償による内挿処理を施した画像信号を出力する（ステップＳ８３）。このようにしてフレーム周波数が変換された画像信号を、液晶表示パネル１９から表示出力する（ステップＳ８４）。
【０２６１】
図３９は、本発明の画像表示装置による画像表示方法の他の例を説明するためのフロー図である。ここでは、前述の第２０の実施形態における画像表示方法の例について説明する。まず、画像表示装置は、入力画像信号に対してＰｉｎＰ表示信号が重畳された画素（或いはブロック）かどうかを判定し（ステップＳ９１）、ＰｉｎＰ表示信号が重畳された画素（或いはブロック）と判定された場合（ＹＥＳの場合）、ＰｉｎＰ表示信号が重畳されている画素あるいは該画素を含む領域（内挿ブロック）に対して、線形補間画像を内挿した画像信号を出力することにより、ＦＲＣ部１０の動き補償内挿処理を部分的に行わないようにする（ステップＳ９２）。また、ステップＳ９１において、ＰｉｎＰ表示信号が重畳されていない画素（或いはブロック）と判定された場合（ＮＯの場合）、ＦＲＣ部１０にて動き補償による内挿処理を施した画像信号を出力する（ステップＳ９３）。このようにしてフレーム周波数が変換された画像信号を、液晶表示パネル１９から表示出力する（ステップＳ９４）。
【０２６２】
図４０は、本発明の画像表示装置による画像表示方法の他の例を説明するためのフロー図である。ここでは、前述の第２１の実施形態における画像表示方法の例について説明する。まず、画像表示装置は、入力画像信号に対してＯＳＤ信号が重畳された画素（或いはブロック）かどうかを判定し（ステップＳ１０１）、ＯＳＤ信号が重畳された画素（或いはブロック）と判定された場合（ＹＥＳの場合）、ＯＳＤ信号が重畳されている画素あるいは該画素を含む領域（内挿ブロック）に対して、前或いは後フレーム画像を挿入した画像信号を出力することにより、ＦＲＣ部１０の動き補償内挿処理を部分的に行わないようにする（ステップＳ１０２）。また、ステップＳ１０１において、ＯＳＤ信号が重畳されていない画素（或いはブロック）と判定された場合（ＮＯの場合）、ＦＲＣ部１０にて動き補償による内挿処理を施した画像信号を出力する（ステップＳ１０３）。このようにしてフレーム周波数が変換された画像信号を、液晶表示パネル１９から表示出力する（ステップＳ１０４）。
【０２６３】
図４１は、本発明の画像表示装置による画像表示方法の他の例を説明するためのフロー図である。ここでは、前述の第２２の実施形態における画像表示方法の例について説明する。まず、画像表示装置は、入力画像信号に対してＰｉｎＰ表示信号が重畳された画素（或いはブロック）かどうかを判定し（ステップＳ１１１）、ＰｉｎＰ表示信号が重畳された画素（或いはブロック）と判定された場合（ＹＥＳの場合）、ＰｉｎＰ表示信号が重畳されている画素あるいは該画素を含む領域（内挿ブロック）に対して、前或いは後フレーム画像を挿入した画像信号を出力することにより、ＦＲＣ部１０の動き補償内挿処理を部分的に行わないようにする（ステップＳ１１２）。また、ステップＳ１１１において、ＰｉｎＰ表示信号が重畳されていない画素（或いはブロック）と判定された場合（ＮＯの場合）、ＦＲＣ部１０にて動き補償による内挿処理を施した画像信号を出力する（ステップＳ１１３）。このようにしてフレーム周波数が変換された画像信号を、液晶表示パネル１９から表示出力する（ステップＳ１１４）。
【０２６４】
図４２は、本発明の画像表示装置による画像表示方法の他の例を説明するためのフロー図である。ここでは、前述の第２３の実施形態における画像表示方法の例について説明する。まず、画像表示装置は、入力画像信号に対してＯＳＤ信号が重畳された画素（或いはブロック）かどうかを判定し（ステップＳ１２１）、ＯＳＤ信号が重畳された画素（或いはブロック）と判定された場合（ＹＥＳの場合）、ＯＳＤ信号が重畳されている画素あるいは該画素を含む領域（内挿ブロック）に対して、ＦＲＣ部１０における動き補正処理の補正強度を部分的に可変（弱く）する（ステップＳ１２２）。また、ステップＳ１２１において、ＯＳＤ信号が重畳されていない画素（或いはブロック）と判定された場合（ＮＯの場合）、ＦＲＣ部１０における動き補正処理の補正強度を通常通り強くする（ステップＳ１２３）。このようにしてフレーム周波数が変換された画像信号を、液晶表示パネル１９から表示出力する（ステップＳ１２４）。
【０２６５】
図４３は、本発明の画像表示装置による画像表示方法の他の例を説明するためのフロー図である。ここでは、前述の第２４の実施形態における画像表示方法の例について説明する。まず、画像表示装置は、入力画像信号に対してＰｉｎＰ表示信号が重畳された画素（或いはブロック）かどうかを判定し（ステップＳ１３１）、ＰｉｎＰ表示信号が重畳された画素（或いはブロック）と判定された場合（ＹＥＳの場合）、ＰｉｎＰ表示信号が重畳されている画素あるいは該画素を含む領域（内挿ブロック）に対して、ＦＲＣ部１０における動き補正処理の補正強度を部分的に可変（弱く）する（ステップＳ１３２）。また、ステップＳ１３１において、ＰｉｎＰ表示信号が重畳されていない画素（或いはブロック）と判定された場合（ＮＯの場合）、ＦＲＣ部１０における動き補正処理の補正強度を通常通り強くする（ステップＳ１３３）。このようにしてフレーム周波数が変換された画像信号を、液晶表示パネル１９から表示出力する（ステップＳ１３４）。
【０２６６】
以上説明した各実施形態によれば、第一の画像信号と該第一の画像信号とは異なる動き特性を持つ第二の画像信号とを合成させて表示するときに、前記第一及び第二の画像信号が合成された入力画像信号に対して、フレームレート変換（ＦＲＣ）部における動き補正処理を部分的に無効化して表示出力することができるため、動き補償による内挿処理に起因する第一及び第二の画像信号の表示部分の画質劣化を効果的に防止することができる。
【０２６７】
なお、上述の各実施形態においては、図２６に示したように、第一の画像信号３１の内に第二の画像信号（キャラクタ信号）３２を合成（重畳）して表示する場合（図２６（Ａ）参照）、第一の画像信号３３の内に第二の画像信号（子画面画像信号）３４を合成（重畳）して表示する場合（図２６（Ｂ）参照）を例にあげて説明したが、これに限らず、本発明は、異なる動きを有する少なくとも２以上の画像信号を合成して表示する場合に適用することができるのは明らかである。
【０２６８】
例えば、図２６（Ｃ）に示すように、第一の画像信号３５の外に第二の画像信号３６を合成表示する場合においても、本発明を適用することが可能である。この場合、前記第一の画像信号３５は例えば放送を受信して得られるテレビジョン画像信号、前記第二の画像信号３６は例えばデータ放送を受信して得られるデータ情報表示信号や、前記テレビジョン画像信号に付加情報として多重された番組情報に基づいて表示装置内部で生成される番組情報表示信号とすることができる。
【０２６９】
また、図２６（Ｄ）に示すように、第一の画像信号３７と第二の画像信号３８とを左右等に並べて合成表示する場合においても、本発明を適用することが可能である。この場合、前記第一の画像信号３７は例えば放送を受信して得られるテレビジョン画像信号、前記第二の画像信号３８は例えばＰｏｕｔＰ（Ｐｉｃｔｕｒｅ  ｏｕｔ  Ｐｉｃｔｕｒｅ）表示信号とすることができる。ＰｏｕｔＰ表示信号は、上述のＰｉｎＰ表示信号と同様、文字や、数字、記号、画像などのキャラクタ信号や、静止画像、動画像などの画像信号であればよく、表示装置内部で発生されるものに限定されず、外部より入力されるものであってもよい。
【０２７０】
さらに、図２６（Ｅ）に示すように、第一の画像信号３９と第二の画像信号４０とを一部重ね合わせて合成表示する場合においても、本発明を適用することが可能である。この場合も、前記第一の画像信号３９は例えば放送を受信して得られるテレビジョン画像信号、前記第二の画像信号４０は例えば表示装置内部で発生されるＰｏｕｔＰ表示信号や、外部より入力されるＰｏｕｔＰ表示信号とすることができる。
【０２７１】
そしてまた、第一の画像信号としては、上述したようなテレビジョン画像信号に限らず、外部メディアから再生された画像信号などであってもよいことは言うまでもない。
【図１】
0004722936.tif 000002
【図２】
0004722936.tif 000003
【図３】
0004722936.tif 000004
【図４】
0004722936.tif 000005
【図５】
0004722936.tif 000006
【図６】
0004722936.tif 000007
【図７】
0004722936.tif 000008
【図８】
0004722936.tif 000009
【図９】
0004722936.tif 000010
【図１０】
0004722936.tif 000011
【図１１】
0004722936.tif 000012
【図１２】
0004722936.tif 000013
【図１３】
0004722936.tif 000014
【図１４】
0004722936.tif 000015
【図１５】
0004722936.tif 000016
【図１６】
0004722936.tif 000017
【図１７】
0004722936.tif 000018
【図１８】
0004722936.tif 000019
【図１９】
0004722936.tif 000020
【図２０】
0004722936.tif 000021
【図２１】
0004722936.tif 000022
【図２２】
0004722936.tif 000023
【図２３】
0004722936.tif 000024
【図２４】
0004722936.tif 000025
【図２５】
0004722936.tif 000026
【図２６】
0004722936.tif 000027
【図２７】
0004722936.tif 000028
【図２８】
0004722936.tif 000029
【図２９】
0004722936.tif 000030
【図３０】
0004722936.tif 000031
【図３１】
0004722936.tif 000032
【図３２】
0004722936.tif 000033
【図３３】
0004722936.tif 000034
【図３４】
0004722936.tif 000035
【図３５】
0004722936.tif 000036
【図３６】
0004722936.tif 000037
【図３７】
0004722936.tif 000038
【図３８】
0004722936.tif 000039
【図３９】
0004722936.tif 000040
【図４０】
0004722936.tif 000041
【図４１】
0004722936.tif 000042
【図４２】
0004722936.tif 000043
【図４３】
0004722936.tif 000044
【図４４】
0004722936.tif 000045
【図４５】
0004722936.tif 000046
【図４６】
0004722936.tif 000047